(57)【要約】  カスタマイズされた電子的出力を提供する方法及びシステム。本方法は、メディアオブジェクトのセットを定義する少なくとも構成要素のテンプレートのセットを記憶する段階と、それに基づいた出力を受け取ることになるエンティティに関する情報をコンピュータネットワークを通じて受け取り、該エンティティに対してコンピュータネットワークを通じて出力の少なくとも構成要素のテンプレートのセットのサブセットのリストを提示する段階と、テンプレートのセットのサブセットのリストからのテンプレートの選択対象をエンティティから受け取る段階と、エンティティからのカスタム情報なしにエンティティが選択したテンプレートを再生する段階と、選択されたテンプレートに基づいてカスタマイズされた出力を作成するために入力を提供するようエンティティに指示する段階と、選択されたテンプレート及びエンティティによって提供された入力からカスタマイズされた出力を作成する段階とを含むことができる。本方法は、編集決定リスト（ＳＯＬ）を使用してそれぞれのテンプレートにおいてメディアオブジェクトの編成を表わす段階を含むことができる。本開示はまた、エンティティにプランを提供する方法及びシステムを含む。【選択図】なし【特許請求の範囲】
【請求項１】
広告主にメディアプランを提供する方法であって、
複数のメディアプロパティの料金表情報を記憶する段階と、
前記メディアプロパティによって到達されるオーディエンスに関する情報を記憶する段階と、
前記広告主に関する情報を記憶する段階と、
前記料金表情報、前記オーディエンスに関する情報、及び前記広告主に関する情報に基づいてメディアプランを生成する段階と、
前記プランを購入のために前記広告主に提示する段階と、
を含む方法。
【請求項２】
前記メディアプランが、
広告を流す基準となるメディアプロパティのセットと、
前記広告を流す基準となる日付の範囲と、
前記広告を流す時間帯と、
前記広告を流す回数と、
を含む、
ことを特徴とする請求項１に記載の方法。
【請求項３】
前記メディアプランが、特定の人口動態のビューワの推定数を含む、
ことを特徴とする請求項１に記載の方法。
【請求項４】
前記メディアプランが、特定の心理学的なビューワの推定数を含む、
ことを特徴とする請求項１に記載の方法。
【請求項５】
前記プランにおいて広告を流すためのサードパーティへの注文を送信する段階を含む、
ことを特徴とする請求項１に記載の方法。
【請求項６】
前記オーディエンスに関する情報が、オーディエンス情報に関して外部プロバイダから取得されたものではなく、内部で生成された情報を含む、
ことを特徴とする請求項１に記載の方法。
【請求項７】
前記オーディエンスに関する情報が、それぞれのメディアのオーディエンスについての、
人口動態、
ライフスタイル、
関心のあるレジャー、
利用している技術、
ブランドの好み、
種々の製品及びサービスへの支出額、
ニールセン視聴率、
米国人口調査データに基づいた情報、
ロケーション、
の少なくとも１つに関する情報を含む、
ことを特徴とする請求項１に記載の方法。
【請求項８】
前記広告主から目標を受け取る段階と、
前記目標に基づいて前記メディアプラン用のメディアミックスを決定する段階と、
を含む、
ことを特徴とする請求項１に記載の方法。
【請求項９】
前記広告主から目標を受け取る段階と、
前記目標に基づいて前記メディアプラン用の最適コストを決定する段階と、
を含む、
ことを特徴とする請求項１に記載の方法。
【請求項１０】
前記広告主から目標を受け取る段階と、
前記目標に基づいて前記メディアプラン用に使用するスポットの最適数を決定する段階と、
を含む、
ことを特徴とする請求項１に記載の方法。
【請求項１１】
視聴率に基づいてメディアプロパティをランク付けする段階を含む、
ことを特徴とする請求項１に記載の方法。
【請求項１２】
価格に基づいてメディアプロパティをランク付けする段階を含む、
ことを特徴とする請求項１に記載の方法。
【請求項１３】
前記広告主の目標に基づいてメディアプロパティをランク付けする段階を含む、
ことを特徴とする請求項１に記載の方法。
【請求項１４】
ターゲットオーディエンスとの関連性に基づいてメディアプロパティをランク付けする段階を含む、
ことを特徴とする請求項１に記載の方法。
【請求項１５】
前記メディアプランに適用可能な全オーディエンス及び各ターゲット人口動態に対する視聴率を予想する段階を含む、
ことを特徴とする請求項１に記載の方法。
【請求項１６】
前記各ターゲット人口動態は、前記メディアプランに対する人口動態に含まれる性別及び年齢グループである、
ことを特徴とする請求項１に記載の方法。
【請求項１７】
前記オーディエンスに関する情報が、世帯特徴に基づく、
ことを特徴とする請求項１に記載の方法。
【請求項１８】
前記広告主からクレジットカード情報を取得し、前記クレジットカード情報を記憶し、前記記憶されたクレジットカード情報に対応する前記クレジットカードアカウントに前記メディアプランの購入価格を課金する段階を含む、
ことを特徴とする請求項１に記載の方法。
【請求項１９】
それぞれのメディアプロパティに注文を提出するためのフォーマットに関する規則を記憶する段階と、
その規則に従って少なくとも１つのメディアプロパティに前記メディアプランを提出する段階と、
を含む、
ことを特徴とする請求項１に記載の方法。
【請求項２０】
前記広告主から予算を取得し、前記予算に部分的に基づいて前記メディアプランを生成する段階を含む、
ことを特徴とする請求項１に記載の方法。
【請求項２１】
広告主にメディアプランを提供する方法であって、
メディアプランに対する広告主の要求を受け取る前に、複数のメディアプロパティでの広告コストを定める段階と、
前記メディアプロパティの視聴率を取得する段階と、
前記メディアプランがターゲットとされるオーディエンスを広告主から受け取る段階と、
コスト、視聴率、オーディエンス、及びロケーションに基づいてメディアプランを生成する段階と、
前記プランを広告主に提示する段階と、
を含む方法。
【請求項２２】
前記ロケーションが近傍を含む、
ことを特徴とする請求項２１に記載の方法。
【請求項２３】
前記ロケーションがＤＭＡを含む、
ことを特徴とする請求項２１に記載の方法。
【請求項２４】
前記ロケーションがより大都市エリアを含む、
ことを特徴とする請求項２１に記載の方法。
【請求項２５】
前記ロケーションが都市を含む、
ことを特徴とする請求項２１に記載の方法。
【請求項２６】
前記ロケーションが大陸を含む、
ことを特徴とする請求項２１に記載の方法。
【請求項２７】
広告主にメディアプランを提供するためのシステムであって、
複数のメディアプロパティの料金表のデータベースと、
それぞれのターゲット市場に対する前記メディアプロパティのパフォーマンスに関する情報のデータベースと、
前記広告主によってターゲットされる少なくとも１つのオーディエンスに関する情報を広告主に指示するインターフェースと、
前記料金表、パフォーマンスに関する情報、前記オーディエンス、及び前記予算に基づいてメディアプランを生成する論理回路と、
前記プランを購入のために前記広告主に提示するインターフェースと、
を含むシステム。
【請求項２８】
前記インターフェースが、前記広告主から予算を取得する、
ことを特徴とする請求項２７に記載のシステム。
【請求項２９】
広告主にメディアプランを提供する方法であって、
前記広告主からロケーションデータを受け取り、前記ロケーション情報と該ロケーション情報を関連付けるデータベースとに基づいて、利用可能な市場を決定する段階と、
前記広告主から市場選択対象を受け取り、メディアプロパティの料金表を含むデータベースに基づいて、実行可能なメディアプロパティを決定する段階と、
ビジネスカテゴリー又はターゲット市場の選択対象を受け取り、カテゴリーマッチングを行って、カスタムネットワーク階層を決定する段階と、
キャンペーンパラメータを受け取り、前記キャンペーンパラメータに基づいてメディアプランを生成する段階と、
を含む方法。
【請求項３０】
ネットワーク、スポットの数、時間帯、スケジュール、ロケーション、到達率、頻度、及びコストをコンピュータプログラムにおいて評価し、メディア購買規則データベース内の規則に基づいてプランを決定する段階を含む、
ことを特徴とする請求項２９に記載の方法。
【請求項３１】
前記キャンペーンパラメータが予算を含む、
ことを特徴とする請求項２９に記載の方法。
【請求項３２】
前記キャンペーンパラメータがメディア目標を含む、
ことを特徴とする請求項２９に記載の方法。
【請求項３３】
前記キャンペーンパラメータがメディアスケジュールを含む、
ことを特徴とする請求項２９に記載の方法。
【請求項３４】
承認及び購入情報を受け取る段階を含む、
ことを特徴とする請求項２９に記載の方法。
【請求項３５】
前記広告主が前記メディアプランを編集できるようにする段階を含む、
ことを特徴とする請求項２９に記載の方法。
【請求項３６】
前記広告主用データベース内にメディアプランを記憶する段階と、
セーブされたプランのリストを前記広告主がビューできるようにする段階と、
前記広告主によって選択されたプランを表示する段階と、
を含む、
ことを特徴とする請求項２９に記載の方法。
【請求項３７】
セーブされたプランのリストを前記広告主がビューできるようにする段階と、
前記広告主によって選択されたプランを表示する段階と、
前記広告主のための進行中のキャンペーンを含むキャンペーンを表示する段階と、
前記広告主の履歴を表示する段階と、
を含む、
ことを特徴とする請求項２９に記載の方法。
【請求項３８】
利用可能なネットワークを連続的にチェックし、予算がなくなるまで利用可能な残りの予算を決定し、予算が利用可能である場合には前記ネットワークを前記プラン内に含める段階を含む、
ことを特徴とする請求項２９に記載の方法。
【請求項３９】
前記広告主の支払い情報をデータベース内に記憶し、前記支払い情報を使用して前記広告主に課金する段階を含む、
ことを特徴とする請求項２９に記載の方法。
【請求項４０】
電子メディアシステムであって、
広告主顧客のためのインターフェースとして働くウェブサイトを提供し、且つ前記広告主向けのメディアプランに対しての前記広告主によるウェブページからの要求を受け取るウェブサーバと、
広告のフォーマットに関する情報と、それぞれのメディアプロパティに対する広告を提出する方式とを記憶するメディア購買規則データベースと、
ロケーション情報を利用可能な市場に関連付けるメディア配置データベースと、
それぞれの広告主に関連した情報を記憶する広告主情報データベースと、
前記メディア配置データベースを使用してそれぞれのロケーションに対して利用可能な市場を決定する論理回路と、
前記メディア配置データベース及び前記広告主情報データベースからのデータに基づいてメディアプランを生成する論理回路と、
前記メディア購買規則データベースに提供された広告を提出する前記フォーマット及び方式に従って、前記メディアプロパティに対して前記メディアプランでの広告を提出する論理回路と、
を含む電子メディアシステム。
【請求項４１】
広告の少なくとも構成要素のテンプレートのデータベースを含む、
ことを特徴とする請求項４０に記載のシステム。
【請求項４２】
前記テンプレートのセットのサブセットのリストから選択したテンプレートを前記広告主から受け取り、前記選択されたテンプレートに基づいてカスタマイズされた広告を作成するために入力を提供するように前記広告主に指示する論理回路を含む、
ことを特徴とする請求項４０に記載のシステム。
【請求項４３】
前記メディアプランにおいて前記カスタマイズされた広告を含み、前記カスタマイズされた広告をメディアプロパティに提出する論理回路を含む、
ことを特徴とする請求項４０に記載のシステム。
【請求項４４】
前記広告主から広告を受け取り前記メディアプラン内に含めることを特徴とする請求項４０に記載のシステム。
【請求項４５】
広告主にサービスを提供する方法であって、
複数のメディアプロパティに関する情報を記憶する段階と、
前記メディアプロパティによって到達されるオーディエンスに関する情報を記憶する段階と、
前記広告主に関する情報を記憶する段階と、
前記料金表情報、オーディエンスに関する情報、及び前記広告主に関する情報に基づいてメディアプランを生成する段階と、
メディアオブジェクトのセットを定義する、広告の少なくとも構成要素のテンプレートのセットを記憶する段階と、
前記広告主に関する情報に基づいて、前記広告の少なくとも構成要素のテンプレートのセットのサブセットのリストを前記コンピュータネットワークを通じて前記広告主に提示する段階と、
前記テンプレートのセットのサブセットのリストから選択されたテンプレートを前記広告主から受け取る段階と、
前記選択されたテンプレートに基づいてカスタマイズされた広告を作成するために入力を提供するよう前記広告主に指示する段階と、
前記選択されたテンプレート及び前記広告主によって提供された入力からカスタマイズされた広告を作成する段階と、
を含む方法。
【請求項４６】
前記広告主に関する情報に基づいて、前記広告の少なくとも構成要素の前記テンプレートのセットのサブセットのリストを前記コンピュータネットワークを通じて前記広告主に提示する段階と、
前記広告主からのカスタム情報なしに、前記広告主が選択したテンプレートを再生する段階と、
を含む、
ことを特徴とする請求項４５に記載の方法。
【請求項４７】
カスタマイズされた広告を提供する方法であって、
メディアオブジェクトのセットを定義する、広告の少なくとも構成要素のテンプレートのセットを記憶する段階と、
コンピュータネットワークを通じて広告主に関する情報を受け取る段階と、
前記広告主に関する情報に基づいて、前記広告の少なくとも構成要素の前記テンプレートのセットのサブセットのリストを前記コンピュータネットワークを通じて前記広告主に提示する段階と、
前記テンプレートのセットのサブセットのリストから選択されたテンプレートを前記広告主から受け取る段階と、
前記広告主からのカスタム情報なしに、前記広告主が選択したテンプレートを再生する段階と、
前記選択されたテンプレートに基づいてカスタマイズされた広告を作成するために入力を提供するよう前記広告主に指示する段階と、
前記選択されたテンプレート及び前記広告主によって提供された入力からカスタマイズされた広告を作成する段階と、
を含む方法。
【請求項４８】
前記テンプレートを再生する段階が、ビデオを再生する段階を含む、
ことを特徴とする請求項４７に記載の方法。
【請求項４９】
前記テンプレートを再生する段階が、オーディオを再生する段階を含む、
ことを特徴とする請求項４７に記載の方法。
【請求項５０】
複数のテンプレートを組み合わせて前記カスタマイズされたビデオ広告を作成する段階を含む、
ことを特徴とする請求項４７に記載の方法。
【請求項５１】
前記コンピュータネットワークが、インターネットを含む、
ことを特徴とする請求項４７に記載の方法。
【請求項５２】
編集決定リスト（ＥＤＬ）を使用してそれぞれのテンプレートにおいてメディアオブジェクトの編成を表わす段階と、
前記広告に関する付加的な情報を前記ＥＤＬに含める段階と、
を含む、
ことを特徴とする請求項４７に記載の方法。
【請求項５３】
前記指示段階が、テキスト用の入力を提供する段階を含む、
ことを特徴とする請求項４７に記載の方法。
【請求項５４】
前記広告主からの入力は、選択肢のセットからの選択対象を含む、
ことを特徴とする請求項４７に記載の方法。
【請求項５５】
前記選択肢が、オーディオオブジェクトのセットを含む、
ことを特徴とする請求項４７に記載の方法。
【請求項５６】
前記広告主からの入力がオーディオを含む、
ことを特徴とする請求項４７に記載の方法。
【請求項５７】
前記広告主からの入力がイメージを含む、
ことを特徴とする請求項４７に記載の方法。
【請求項５８】
前記広告主からの入力がビデオを含む、
ことを特徴とする請求項４７に記載の方法。
【請求項５９】
少なくとも一部のメディアオブジェクトを前記関連のテンプレートと別個に記憶する段階を含む、
ことを特徴とする請求項４７に記載の方法。
【請求項６０】
利用可能なテンプレートを表わすアイコンを表示する段階を含む、
ことを特徴とする請求項４７に記載の方法。
【請求項６１】
利用可能なテンプレートを表わす、前記テンプレートからのイメージを表示する段階を含む、
ことを特徴とする請求項４７に記載の方法。
【請求項６２】
利用可能なテンプレートを表わすそれぞれのテンプレートを示すストーリーボードを表示し、前記ストーリーボードに関連した入力を提供する段階を含む、
ことを特徴とする請求項４７に記載の方法。
【請求項６３】
カスタマイズされたビデオ広告を提供する方法であって、
メディア広告テンプレートにおいて使用するためのメディアオブジェクトのセットを記憶する段階と、
対応する広告においてそれぞれのメディアオブジェクトの編成を表わす標準化された電子情報を含むメディア広告テンプレートのセットを記憶する段階と、
コンピュータネットワークを通じて、リモートに位置付けられた広告主に関する情報を受け取る段階と、
前記広告主に関する情報に基づいて、前記ビデオ広告テンプレートのセットのサブセットのリストを前記コンピュータネットワークを通じて前記広告主に提示する段階と、
前記広告主から広告テンプレートの選択対象を受け取る段階と、
前記テンプレートへの入力を提供するよう前記広告主に指示する段階と、
前記テンプレートへの入力に基づいて、前記メディアオブジェクトの編成を表わす前記電子情報を更新する段階と、
前記広告テンプレート、前記広告主によって提供された入力、及び前記メディアオブジェクトの編成を表わす前記電子情報から、カスタマイズされたビデオ広告を作成する段階と、
を含む方法。
【請求項６４】
それぞれのメディアオブジェクトの編成を表わす前記電子情報が、前記メディアオブジェクトの再生のタイムラインを決定付ける、
ことを特徴とする請求項６３に記載の方法。
【請求項６５】
それぞれのメディアオブジェクトの編成を表わす前記電子情報が、編集決定リスト（ＥＤＬ）を含む、
ことを特徴とする請求項６３に記載の方法。
【請求項６６】
前記メディアオブジェクトのセットがビデオを含む、
ことを特徴とする請求項６３に記載の方法。
【請求項６７】
前記メディアオブジェクトのセットがオーディオを含む、
ことを特徴とする請求項６３に記載の方法。
【請求項６８】
前記メディアオブジェクトのセットがイメージ及びテキストを含む、
ことを特徴とする請求項６３に記載の方法。
【請求項６９】
それぞれのテンプレートのどの態様が前記広告主によって修正できるかを表わすために前記標準化された電子情報を符号化し、前記符号化に少なくとも部分的に基づいて前記広告主に入力を指示する段階を含む、
ことを特徴とする請求項６３に記載の方法。
【請求項７０】
前記それぞれのテンプレートのどの部分を前記広告主によって変更することができるかを示すデータを前記それぞれのテンプレート内に提供する段階を含む、
ことを特徴とする請求項６３に記載の方法。
【請求項７１】
前記テンプレートのそれぞれの要素の少なくとも名前を前記テンプレート内に提供する段階を含む、
ことを特徴とする請求項６３に記載の方法。
【請求項７２】
前記テンプレートのそれぞれの要素のデフォルトコンテンツを記述するフィールドを前記テンプレート内に提供する段階を含む、
ことを特徴とする請求項６３に記載の方法。
【請求項７３】
前記テンプレートのそれぞれの要素の用途を説明するヘルプストリング用のフィールドを前記テンプレート内に提供する段階を含む、
ことを特徴とする請求項６３に記載の方法。
【請求項７４】
前記テンプレートに関連付けられるメディアオブジェクトに対する要件を指定するフィールドを前記テンプレート内に提供する段階を含み、前記方法が、前記メディアオブジェクトが前記指定されたタイプに反するかどうかを自動的にチェックする段階を含む、
ことを特徴とする請求項６３に記載の方法。
【請求項７５】
前記要件が最小フォーマットを含む、
ことを特徴とする請求項７４に記載の方法。
【請求項７６】
前記テンプレートを対応するアイコン、タイトル、及び記述に関連付けるメタデータを提供する段階を含む、
ことを特徴とする請求項６３に記載の方法。
【請求項７７】
前記メディアオブジェクトのセットを記憶する段階の前に、
特定のメディアオブジェクトを取得する段階と、
前記特定のメディアオブジェクトの一部を識別し抽出する段階と、
前記メディアオブジェクトのセットにおける前記メディアオブジェクトの１つとして前記抽出された部分を記憶する段階と、
を含む、
ことを特徴とする請求項６３に記載の方法。
【請求項７８】
前記特定のメディアオブジェクトがビデオを含み、前記メディアオブジェクトの抽出された部分が、広告内でメディアオブジェクトとして使用される前記ビデオの一部を含む、
ことを特徴とする請求項７７に記載の方法。
【請求項７９】
前記メディアオブジェクトのセットを記憶する段階の前に、
特定のメディアオブジェクトを作成する段階と、
前記特定のメディアオブジェクトの複数の部分を識別し抽出する段階と、
前記メディアオブジェクトのセットにおいてメディアオブジェクトとして前記抽出された部分を記憶する段階と、
前記特定のメディアオブジェクトの前記異なる抽出された部分を別個の広告において個別に使用できるようにする段階と、
を含む、
ことを特徴とする請求項６３に記載の方法。
【請求項８０】
ユーザがそれぞれのテンプレートをサーチできるようにするサーチ機能を提供する段階を含む、
ことを特徴とする請求項６３に記載の方法。
【請求項８１】
テンプレートとカスタムユーザ情報とを別個に記憶する段階を含む、
ことを特徴とする請求項６３に記載の方法。
【請求項８２】
カスタマイズされたビデオ広告を提供する方法であって、
メディア広告テンプレートに使用するメディアオブジェクトのセットを記憶する段階と、
対応する広告においてそれぞれのメディアオブジェクトの編成を表わす編集決定リスト（ＥＤＬ）を含むメディア広告テンプレートのセットを記憶する段階と、
前記ＥＤＬのコンテンツ用にフォーマット化される部分内に、前記テンプレートの使用に関する命令を備えたメタデータを記憶する段階と、
コンピュータネットワークを通じて広告主に関する情報を受け取る段階と、
前記広告主に関する情報と前記テンプレートの使用に関する命令を備えた前記メタデータとに基づいて、前記テンプレート及び関連のメディアオブジェクトによる前記広告からカスタマイズされたビデオ広告を作成する段階と、
を含む方法。
【請求項８３】
前記メタデータが、それぞれのテンプレートのどの部分を前記ユーザによって変更できるかを示す、
ことを特徴とする請求項８２に記載の方法。
【請求項８４】
前記メタデータが、前記テンプレートのそれぞれの要素の名前を含む、
ことを特徴とする請求項８２に記載の方法。
【請求項８５】
前記メタデータが、前記テンプレートのそれぞれの要素のデフォルトコンテンツを記述する、
ことを特徴とする請求項８２に記載の方法。
【請求項８６】
カスタマイズされた広告を提供する方法であって、
カスタマイズされた広告で使用するメディアオブジェクトのセットを提供する段階と、
メディアオブジェクトに対する権利使用料関係に関する情報を前記オブジェクトのセットに記憶する段階と、
前記メディアオブジェクトの少なくとも１つのサブセットを含むカスタマイズされた広告を作成するための入力をコンピュータネットワークを通じて前記広告主から受け取る段階と、
前記入力及び前記メディアオブジェクトのサブセットに基づいて、前記メディアオブジェクトを含むカスタマイズされたビデオ広告を作成する段階と、
前記広告内の前記メディアオブジェクトの用途に基づいてメディアオブジェクトに対する権利使用料を自動的に決定する段階と、
を含む方法。
【請求項８７】
メディアオブジェクトに対する権利使用料が、前記広告内のオブジェクトの関連用途に基づいて決定される、
ことを特徴とする請求項８６に記載の方法。
【請求項８８】
メディアオブジェクトに対する権利使用料が、前記広告内のオブジェクトの相対使用に基づいて、及び前記広告における他のメディアオブジェクトに対する前記メディアオブジェクトの再生時間をベースとする前記メディアオブジェクトに対する権利使用料の比例配分に基づいて決定される、
ことを特徴とする請求項８６に記載の方法。
【請求項８９】
メディアオブジェクトに対する権利使用料が、前記広告における他のメディアオブジェクトに対する前記メディアオブジェクトの再生時間に加えて係数に基づいて決定される、
ことを特徴とする請求項８６に記載の方法。
【請求項９０】
メディアオブジェクトに対する権利使用料が、前記広告における前記メディアオブジェクトの再生時間以外の係数に基づいて決定される、
ことを特徴とする請求項８６に記載の方法。
【請求項９１】
カスタマイズされたビデオ広告を提供するためのメディアシステムであって、
メディア広告テンプレートで使用するメディアオブジェクトのセットを含むメディアオブジェクトデータベースと、
前記テンプレートに対応する広告においてそれぞれのメディアオブジェクトの編成を表わす情報を含むメディア広告テンプレートのセットを含み、コンテンツ用にフォーマット化されたそれぞれのメディアオブジェクトの編成を表わす情報の一部分内に前記テンプレートの使用に関する命令と共にメタデータが記憶されているテンプレートデータベースと、
前記テンプレートに関連した前記メディアオブジェクトデータベースからのメディアオブジェクトを含むカスタマイズされたビデオ広告を作成する論理回路と、
を備え、
前記カスタマイズされたビデオ広告が、テンプレートと、該テンプレートの使用に関する命令を備えた前記メタデータとに基づく、
ことを特徴とするメディアシステム。
【請求項９２】
それぞれのメディアオブジェクトの編成を表わす前記情報が、編集決定リスト（ＥＤＬ）を含む、
ことを特徴とする請求項９１に記載のシステム。
【請求項９３】
前記広告主からのカスタム情報なしに前記テンプレートを再生するウェブページを生成するための論理回路を含む、
ことを特徴とする請求項９１に記載のシステム。
【請求項９４】
前記テンプレートに対するカスタム入力を前記広告主に指示するウェブページを生成するための論理回路を含む、
ことを特徴とする請求項９１に記載のシステム。
【請求項９５】
前記テンプレートが、前記広告主が提供できるテキストを備えたメタデータを含む、
ことを特徴とする請求項９１に記載のシステム。
【請求項９６】
前記テンプレートが、前記広告主が提供できるイメージを備えたメタデータを含む、
ことを特徴とする請求項９１に記載のシステム。
【請求項９７】
前記テンプレートが、前記広告主が提供できるオーディオを備えたメタデータを含む、
ことを特徴とする請求項９１に記載のシステム。
【請求項９８】
テレビ広告主のためのテレビメディアプランを生成するコンピュータ化された方法であって、
複数のテレビメディアプロパティの料金表情報を記憶する段階と、
前記テレビメディアプロパティによって到達されるテレビオーディエンスに関する情報を記憶する段階と、
前記テレビ広告主に関する情報を記憶する段階と、
前記料金表情報、テレビオーディエンスに関する情報、及び前記テレビ広告主に関する前記情報に基づいて、テレビ広告のためのメディアプランを生成する段階と、
前記メディアプランを購入のために前記テレビ広告主に提示する段階と、
を含むコンピュータ化された方法。
【請求項９９】
前記テレビ広告が地上放送コマーシャルを含み、前記テレビメディアプロパティがテレビ放送局を含み、前記メディアプランがテレビ局のリストを含む、
ことを特徴とする請求項９８に記載の方法。
【請求項１００】
前記テレビ広告がケーブルテレビコマーシャルを含み、前記テレビメディアプロパティがケーブルオペレータを含む、
ことを特徴とする請求項９８に記載の方法。
【請求項１０１】
前記テレビ広告が衛星テレビコマーシャルを含む、
ことを特徴とする請求項９８に記載の方法。
【請求項１０２】
前記テレビ広告が閉回路テレビコマーシャルを含む、
ことを特徴とする請求項９８に記載の方法。
【請求項１０３】
前記メディアプランが、前記テレビ広告を流す日付のリストを含む、
ことを特徴とする請求項９８に記載の方法。
【請求項１０４】
前記メディアプランが、前記テレビ広告を流す時間帯のリストを含む、
ことを特徴とする請求項９８に記載の方法。
【請求項１０５】
前記メディアプランが、前記テレビ広告を流す市場、前記テレビ広告を流すスケジュールのタイプ、及び前記テレビ広告用の前記メディアプランの各部分に対する放送の数を含む、
ことを特徴とする請求項９８に記載の方法。
【請求項１０６】
指定市場エリア、それぞれの地域、それぞれのゾーン、及びそれぞれのヘッドエンドにおける複数のシステムオペレータ（ＭＳＯ）に関する情報を記憶する段階を含む、
ことを特徴とする請求項９８に記載の方法。
【請求項１０７】
前記テレビオーディエンスに関する情報が、ニールセン視聴率を含む、
ことを特徴とする請求項９８に記載の方法。
【請求項１０８】
前記テレビオーディエンスに関する情報が、人口動態情報を含む、
ことを特徴とする請求項９８に記載の方法。
【請求項１０９】
オーディエンスの関心のあるレジャー、利用している技術、ブランドの好み、並びに種々の製品及びサービスへの支出額の組合せを含む前記オーディエンス情報に基づいて前記テレビメディアプランを生成する段階を含む、
ことを特徴とする請求項９８に記載の方法。
【請求項１１０】
複数システムオペレータ（ＭＳＯ）によって提供されるチャンネルの層を指定する料金表をデータベース内に記憶し、前記料金表に記憶された複数システムオペレータ（ＭＳＯ）によって提供されるチャンネルの層に少なくとも部分的に基づいて前記メディアプランを生成する段階を含む、
ことを特徴とする請求項９８に記載の方法。
【請求項１１１】
提供されるチャンネルの層を指定する料金表と、種々の時間帯の間にこれらのチャンネルでテレビ広告を流すコストとをデータベース内に記憶し、提供されるチャンネルの層と前記料金表に記憶された種々の時間帯の間にこれらのチャンネルでテレビ広告を流すコストとに少なくとも部分的に基づいて、前記メディアプランを生成する段階を含む、
ことを特徴とする請求項９８に記載の方法。
【請求項１１２】
前記広告主から目標を受け取る段階を含み、前記メディアプランが、前記テレビ広告主によって指定された前記目標に一致したスポットの数を提供する、ことを特徴とする請求項９８に記載の方法。
【請求項１１３】
前記メディアプランの少なくとも一部をテレビメディアプロパティに送る段階を含む、
ことを特徴とする請求項９８に記載の方法。
【請求項１１４】
前記テレビ広告主によって選択された市場を使用して、前記テレビメディアプロパティのスケジューリング要件を調べる段階を含む、
ことを特徴とする請求項９８に記載の方法。
【請求項１１５】
ＭＳＯに前記メディアプランを提出して、データベース内に記憶されたメディア購買規則に基づいてスポットを購入する段階を含み、前記メディア購買規則が、注文用フォーマット及び注文を提出する方式を含む、
ことを特徴とする請求項９８に記載の方法。
【請求項１１６】
前記注文用フォーマットが、流れるスポット、スポットを流す時間、及びスケジュールを含み、前記注文を提出する方式が電子メールを含む、
ことを特徴とする請求項９８に記載の方法。
【請求項１１７】
テレビジョンネットワークをランク付けし、カスタムネットワーク階層を生成して前記プランを決定する段階を含む、
ことを特徴とする請求項９８に記載の方法。
【請求項１１８】
各人口動態に対するそれぞれのオーディエンス情報を合計して人口動態の総数で除算することによってテレビメディアプロパティをランク付けし、前記人口動態が選択されていない場合には前記オーディエンス情報によってテレビジョンネットワークをランク付けする段階を含む、
ことを特徴とする請求項９８に記載の方法。
【請求項１１９】
テレビ広告主にテレビメディアプランを提供するためのシステムであって、
複数のテレビメディアプロパティの料金表のデータベースと、
それぞれの人口動態に対する前記テレビメディアプロパティのパフォーマンスに関する情報のデータベースと、
前記広告主によってターゲットされる少なくとも１つのオーディエンスに関する情報をテレビ広告主に指示するインターフェースと、
前記料金表、パフォーマンスに関する情報、前記人口動態、及び前記予算に基づいて、テレビメディアプランを生成する論理回路と、
前記プランを購入のために前記テレビ広告主に提示するインターフェースと、
を含むシステム。
【請求項１２０】
前記インターフェースが、前記テレビ広告主から予算を取得する、
ことを特徴とする請求項１１９に記載のシステム。
【請求項１２１】
テレビ広告主にメディアプランを提供する方法であって、
前記テレビ広告主からロケーションデータを受け取り、前記ロケーション情報と該ロケーション情報を関連付けるデータベースとに基づいて、利用可能な市場を決定する段階と、
前記テレビ広告主から市場選択対象を受け取り、テレビメディアプロパティの料金表を含むデータベースに基づいて、実行可能なテレビメディアプロパティを決定する段階と、
ビジネスカテゴリー又は人口動態の選択対象を受け取り、カテゴリーマッチングを行なって、カスタムテレビジョンネットワーク階層を決定する段階と、
キャンペーンパラメータを受け取り、前記キャンペーンパラメータに基づいてテレビメディアプランを生成する段階と、
を含む方法。
【請求項１２２】
コンピュータプログラムにおいて、ネットワーク、スポットの数、時間帯、スケジュール、ロケーション、到達率、頻度、及びコストを評価し、メディア購買規則データベースの規則に基づいてプランを決定する段階を含む、
ことを特徴とする請求項２９に記載の方法。
【請求項１２３】
前記キャンペーンパラメータが、予算、メディア目標、及びメディアスケジュールを含む、
ことを特徴とする請求項２９に記載の方法。
【請求項１２４】
前記テレビ広告主のための前記メディアプランをデータベースに記憶する段階と、
前記テレビ広告主がセーブされたプランのリストをビューできるようにする段階と、
前記テレビ広告主によって選択されたプランを表示する段階と、
を含む、
ことを特徴とする請求項２９に記載の方法。
【請求項１２５】
利用可能なテレビジョンネットワークを連続的にチェックし、予算がなくなるまで利用可能な残りの予算を決定し、予算が利用可能である場合には前記テレビジョンネットワークを前記プラン内に含める段階を含む、
ことを特徴とする請求項２９に記載の方法。
【請求項１２６】
カスタマイズされたテレビコマーシャルを提供する方法であって、
テレビコマーシャル用のメディアオブジェクトのセットを定義する、前記テレビコマーシャルの少なくとも構成要素のテンプレートのセットを記憶する段階と、
コンピュータネットワークを通じて、テレビ広告主に関する情報を受け取る段階と、
前記テレビ広告主に関する情報に基づいて、テレビコマーシャルの少なくとも構成要素のテンプレートのセットのサブセットのリストを前記コンピュータネットワークを通じて前記テレビ広告主に提示する段階と、
前記テンプレートのセットのサブセットのリストからのテンプレートの選択対象を前記テレビ広告主から受け取る段階と、
前記テレビ広告主からのカスタム情報なしに前記テレビ広告主が選択したテンプレートを再生する段階と、
前記選択されたテンプレートに基づいてカスタマイズされたテレビコマーシャルを作成するために入力を提供するよう前記テレビ広告主に指示する段階と、
前記選択されたテンプレートと前記テレビ広告主によって提供された前記入力とからカスタマイズされたテレビコマーシャルを作成する段階と、
を含む方法。
【請求項１２７】
前記テレビコマーシャルのためのボイスオーバー、音楽、テキスト、ビデオ、及びイメージの入力を提供する段階を含む、
ことを特徴とする請求項１２６に記載の方法。
【請求項１２８】
ライブラリにビデオを記憶し、前記ビデオからテンプレートを提供し、前記テンプレートをユーザが再生することができるフォーマットで提供し、レビューのために外部ユーザに対して前記テンプレートへのアクセスを可能にする段階を含む、
ことを特徴とする請求項１２６に記載の方法。
【請求項１２９】
編集決定リスト（ＥＤＬ）を使用して、それぞれのテレビ広告テンプレートにおいてメディアオブジェクトの編成を表し、前記テレビ広告に関する付加的な情報を前記ＥＤＬ内に含める段階を含む、
ことを特徴とする請求項１２６に記載の方法。
【請求項１３０】
前記テンプレートに対する地理的なエリアでの独占権をテンプレートの購入者に付与する段階を含む、
ことを特徴とする請求項１２６に記載の方法。
【請求項１３１】
前記地理的なエリアが都市を含む、
ことを特徴とする請求項１２６に記載の方法。
【請求項１３２】
前記地理的なエリアが大都市エリアを含む、
ことを特徴とする請求項１２６に記載の方法。
【請求項１３３】
カスタマイズされたテレビ広告を提供するためのメディアシステムであって、
テレビ広告テンプレートで使用するメディアオブジェクトのセットを含むメディアオブジェクトデータベースと、
前記テンプレートに対応するテレビ広告におけるそれぞれのメディアオブジェクトの編成を表わす情報を含むテレビ広告テンプレートのセットを含むテンプレートデータベースと、
を含み、
コンテンツ用にフォーマット化されるそれぞれのメディアオブジェクトの編成を表わす前記情報の一部分内に、前記テンプレートの使用に関する命令と共にメタデータが記憶され、
前記メディアシステムが更に、
前記テンプレートに関連する前記メディアオブジェクトデータベースからのメディアオブジェクトを含む、カスタマイズされたテレビ広告を作成する論理回路を含み、
前記カスタマイズされたテレビ広告が、テンプレートと、該テンプレートの使用に関する命令を備えた前記メタデータとに基づく、
ことを特徴とするメディアシステム。
【請求項１３４】
前記それぞれのメディアオブジェクトの編成を表わす前記情報が、編集決定リスト（ＥＤＬ）を含む、
ことを特徴とする請求項１３３に記載のシステム。
【請求項１３５】
前記テレビ広告主からのカスタム情報なしに前記テンプレートを再生するウェブページを生成するための論理回路を含む、
ことを特徴とする請求項１３３に記載のシステム。
【請求項１３６】
前記テンプレートに対するカスタム入力を前記広告主に指示するウェブページを生成するための論理回路を含む、
ことを特徴とする請求項１３３に記載のシステム。
【請求項１３７】
ラジオ広告主のためのラジオメディアプランを生成するコンピュータ化された方法であって、
複数のラジオメディアプロパティの料金表情報を記憶する段階と、
前記ラジオメディアプロパティによって到達されるラジオオーディエンスに関する情報を記憶する段階と、
前記ラジオ広告主に関する情報を記憶する段階と、
前記料金表情報、ラジオオーディエンスに関する情報、及び前記ラジオ広告主に関する情報に基づいて、ラジオ広告のためのメディアプランを生成する段階と、
前記メディアプランを購入のために前記ラジオ広告主に提示する段階と、
を含む方法。
【請求項１３８】
前記ラジオ広告が地上放送コマーシャルを含み、前記ラジオメディアプロパティがラジオ放送局を含み、前記メディアプランがラジオ局のリストを含む、
ことを特徴とする請求項１３７に記載の方法。
【請求項１３９】
前記ラジオ広告が加入者ベースのラジオコマーシャルを含み、前記ラジオメディアプロパティが加入者ベースの衛星ラジオオペレータを含む、
ことを特徴とする請求項１３７に記載の方法。
【請求項１４０】
前記ラジオ広告が非加入者ベースラジオコマーシャルを含み、前記ラジオメディアプロパティが非加入者ベースの衛星ラジオオペレータを含む、
ことを特徴とする請求項１３７に記載の方法。
【請求項１４１】
前記メディアプランが、シンジケーテッドラジオプログラミングによる広告の配置を含む、
ことを特徴とする請求項１３７に記載の方法。
【請求項１４２】
前記メディアプランが、スポット市場ラジオプログラミングによる広告の配置を含む、
ことを特徴とする請求項１３７に記載の方法。
【請求項１４３】
前記メディアプランが、前記ラジオ広告を流す日付のリストを含む、
ことを特徴とする請求項１３７に記載の方法。
【請求項１４４】
前記メディアプランが、前記ラジオ広告を流す時間帯のリストを含む、
ことを特徴とする請求項１３７に記載の方法。
【請求項１４５】
前記メディアプランが、前記ラジオ広告を流す市場、前記ラジオ広告を流すスケジュールのタイプ、及び前記ラジオ広告用の前記メディアプランの各部分に対する放送の数を含む、
ことを特徴とする請求項１３７に記載の方法。
【請求項１４６】
指定市場エリア（ＤＭＡ）、それぞれの地域、それぞれのゾーン、及びそれぞれのヘッドエンドにおけるラジオ局に関する情報を記憶する段階を含む、
ことを特徴とする請求項１３７に記載の方法。
【請求項１４７】
ラジオ局に関して記憶された前記情報が、種々の人口動態カテゴリー内での視聴率情報を含む、
ことを特徴とする請求項１４６に記載の方法。
【請求項１４８】
ラジオ局に関して記憶された前記情報が、種々の時間帯の間に前記それぞれのラジオ局で広告を流すコストを有する料金表を含む、
ことを特徴とする請求項１４６に記載の方法。
【請求項１４９】
前記メディアプランのユーザ目標に一致したスポットの数を提供する前記ラジオメディアプランを生成する段階を含む、
ことを特徴とする請求項１３７に記載の方法。
【請求項１５０】
指定予算内で要求スポットを購入できるようにするターゲット人口動態に到達するラジオ局を有する前記ラジオメディアプランを生成する段階を含む、
ことを特徴とする請求項１３７に記載の方法。
【請求項１５１】
オーディエンスの関心のあるレジャー、利用している技術、ブランドの好み、及び種々の製品及びサービスへの支出額の組合せを含む前記オーディエンス情報に基づいて、前記ラジオメディアプランを生成する段階を含む、
ことを特徴とする請求項１３７に記載の方法。
【請求項１５２】
提供されるチャンネルの層を指定する料金表と、種々の時間帯の間にこれらのチャンネルでラジオ広告を流すコストとをデータベース内に記憶し、提供されるチャンネルの層と前記料金表に記憶された種々の時間帯の間にこれらのチャンネルでラジオ広告を流すコストとに少なくとも部分的に基づいて前記メディアプランを生成する段階を含む、
ことを特徴とする請求項１３７に記載の方法。
【請求項１５３】
前記メディアプランの少なくとも一部をラジオメディアプロパティに送る段階を含む、
ことを特徴とする請求項１３７に記載の方法。
【請求項１５４】
前記ラジオ広告主によって選択された市場を使用して、前記ラジオメディアプロパティのスケジューリング要件を調べる段階を含む、
ことを特徴とする請求項１３７に記載の方法。
【請求項１５５】
前記メディアプランをラジオメディアプロパティに提出して、データベース内に記憶されたメディア購買規則に基づいてスポットを購入する段階を含み、前記メディア購買規則が、注文用フォーマット及び注文を提出する方式を含む、
ことを特徴とする請求項１３７に記載の方法。
【請求項１５６】
前記注文用フォーマットが、流れるスポット、スポットを流す時間、及びスケジュールを含み、前記注文を提出する方式が電子メールを含む、
ことを特徴とする請求項１３７に記載の方法。
【請求項１５７】
ラジオ広告主にラジオメディアプランを提供するためのシステムであって、
複数のラジオメディアプロパティの料金表のデータベースと、
それぞれの人口動態に対する前記ラジオメディアプロパティのパフォーマンスに関する情報のデータベースと、
前記広告主によってターゲットされる少なくとも１つのオーディエンスに関する情報をラジオ広告主に指示するインターフェースと、
前記料金表、パフォーマンスに関する情報、前記人口動態、及び前記予算に基づいて、ラジオメディアプランを生成する論理回路と、
前記プランを購入のために前記ラジオ広告主に提示するインターフェースと、
を含むシステム。
【請求項１５８】
ラジオ広告主にメディアプランを提供する方法であって、
前記ラジオ広告主からロケーションデータを受け取り、前記ロケーション情報とロケーション情報を関連付けるデータベースとに基づいて、利用可能な市場を決定する段階と、
前記ラジオ広告主から市場選択対象を受け取り、ラジオメディアプロパティの料金表を含むデータベースに基づいて、実行可能なラジオメディアプロパティを決定する段階と、
ビジネスカテゴリー又は人口動態の選択対象を受け取り、カテゴリーマッチングを行なって、カスタムラジオネットワーク階層を決定する段階と、
キャンペーンパラメータを受け取り、前記キャンペーンパラメータに基づいてラジオメディアプランを生成する段階と、
を含む方法。
【請求項１５９】
ネットワーク、スポットの数、時間帯、スケジュール、ロケーション、到達率、頻度、及びコストをコンピュータプログラムにおいて評価し、メディア購買規則データベースの規則に基づいてプランを決定する段階を含む、
ことを特徴とする請求項１５８に記載の方法。
【請求項１６０】
前記キャンペーンパラメータが、予算、メディア目標、及びメディアスケジュールを含む、
ことを特徴とする請求項１５８に記載の方法。
【請求項１６１】
前記ラジオ広告主用データベース内に前記メディアプランを記憶する段階と、
セーブされたプランのリストを前記ラジオ広告主がビューできるようにする段階と、
前記ラジオ広告主によって選択されたプランを表示する段階と、
を含む、
ことを特徴とする請求項１５８に記載の方法。
【請求項１６２】
利用可能なラジオネットワークを連続的にチェックし、予算がなくなるまで残りの利用可能な予算を決定する段階、及び予算が利用可能である場合には前記プラン内に前記ラジオネットワークを含める段階を含む、
ことを特徴とする請求項１５８に記載の方法。
【請求項１６３】
カスタマイズされたラジオコマーシャルを提供する方法であって、
ラジオコマーシャル用のメディアオブジェクトのセットを定義する、前記ラジオコマーシャルの少なくとも構成要素のテンプレートのセットを記憶する段階と、
コンピュータネットワークを通じてラジオ広告主に関する情報を受け取る段階と、
前記ラジオ広告主に関する前記情報に基づいて、ラジオコマーシャルの少なくとも構成要素のテンプレートのセットのサブセットのリストを前記コンピュータネットワークを通じて前記ラジオ広告主に提示する段階と、
前記テンプレートのセットのサブセットのリストからのテンプレートの選択対象を前記ラジオ広告主から受け取る段階と、
前記ラジオ広告主からのカスタム情報なしに前記ラジオ広告主が選択したテンプレートを再生する段階と、
前記選択されたテンプレートに基づいてカスタマイズされたラジオコマーシャルを作成するために入力を提供するよう前記ラジオ広告主に指示する段階と、
前記選択されたテンプレートと前記ラジオ広告主によって提供された前記入力とからカスタマイズされたラジオコマーシャルを作成する段階と、
を含む方法。
【請求項１６４】
カスタマイズされたラジオ広告を提供するためのメディアシステムであって、
ラジオ広告テンプレートで使用するメディアオブジェクトのセットを含むメディアオブジェクトデータベースと、
前記テンプレートに対応するラジオ広告におけるそれぞれのメディアオブジェクトの編成を表わす情報を含むラジオ広告テンプレートのセットを含むテンプレートデータベースと、
を含み、
コンテンツ用にフォーマット化されるそれぞれのメディアオブジェクトの編成を表わす前記情報の一部分内に、前記テンプレートの使用に関する命令と共にメタデータが記憶され、
前記メディアシステムが更に、
前記テンプレートに関連する前記メディアオブジェクトデータベースからのメディアオブジェクトを含む、カスタマイズされたラジオ広告を作成する論理回路を含み、
前記カスタマイズされたラジオ広告が、テンプレートと、該テンプレートの使用に関する命令を備えた前記メタデータとに基づく、
ことを特徴とするメディアシステム。
【請求項１６５】
オンライン広告主のためのオンラインメディアプランを生成するコンピュータ化された方法であって、
複数のオンラインメディアプロパティの広告レートに関する情報を記憶する段階と、
前記オンラインメディアプロパティによって到達されるオンラインオーディエンスに関する情報を記憶する段階と、
前記オンライン広告主に関する情報を記憶する段階と、
前記広告レート、オンラインオーディエンスに関する情報、前記オンライン広告主に関する情報に基づいて、オンライン広告のためのメディアプランを生成する段階と、
前記メディアプランを購入のために前記オンライン広告主に提示する段階と、
を含むコンピュータ化された方法。
【請求項１６６】
前記オンライン広告が、ウェブサイト上に配置される広告を含む、
ことを特徴とする請求項９８に記載の方法。
【請求項１６７】
前記オンライン広告が、電子メールによって送られる広告を含む、
ことを特徴とする請求項９８に記載の方法。
【請求項１６８】
前記オンライン広告がリッチメディア広告を含む、
ことを特徴とする請求項９８に記載の方法。
【請求項１６９】
前記オンライン広告がクリックスルー広告を含む、
ことを特徴とする請求項９８に記載の方法。
【請求項１７０】
前記メディアプランが、前記オンライン広告を流す少なくとも１つのウェブサイトを含む、
ことを特徴とする請求項９８に記載の方法。
【請求項１７１】
前記メディアプランが、前記オンライン広告が送られる電子メールアドレスの識別を含む、
ことを特徴とする請求項９８に記載の方法。
【請求項１７２】
前記メディアプランが、前記オンライン広告を流す日付のリストを含む、
ことを特徴とする請求項９８に記載の方法。
【請求項１７３】
電子メール及びウェブサイトを含むオンライン広告の複数のチャンネルに関する情報を記憶し、前記記憶された情報に基づいて前記メディアプランを生成する段階を含む、
ことを特徴とする請求項９８に記載の方法。
【請求項１７４】
前記オンライン広告の形式のための測定情報を記憶し、この測定情報に基づいて前記メディアプランを生成する段階を含む、
ことを特徴とする請求項９８に記載の方法。
【請求項１７５】
広告の電子メール、バナー、リッチメディア、及びポップアップ形式を含む前記メディアプランを生成する段階を含む、
ことを特徴とする請求項９８に記載の方法。
【請求項１７６】
指定予算内で広告の要求数を購入できるようにするターゲット人口動態に到達するオンライン広告の形式を選択する段階を含む、
ことを特徴とする請求項９８に記載の方法。
【請求項１７７】
前記オーディエンスに関する情報が、人口動態情報を含む、
ことを特徴とする請求項９８に記載の方法。
【請求項１７８】
オーディエンスの関心のあるレジャー、利用している技術、ブランドの好み、及び種々の製品及びサービスへの支出額の組合せを含む前記オーディエンス情報に基づいて前記オンラインメディアプランを生成する段階を含む、
ことを特徴とする請求項９８に記載の方法。
【請求項１７９】
前記メディアプランの少なくとも一部をオンラインメディアプロパティに送る段階を含む、
ことを特徴とする請求項９８に記載の方法。
【請求項１８０】
各人口動態に対するそれぞれのオーディエンス情報を合計して人口動態の総数で除算することによってオンラインメディアプロパティをランク付けし、前記人口動態が選択されていない場合には前記オーディエンス情報によってオンラインネットワークをランク付けする段階を含む、
ことを特徴とする請求項９８に記載の方法。
【請求項１８１】
前記広告主所有のウェブサイトでの前記オンライン広告の有効性を測定する段階を含む、
ことを特徴とする請求項９８に記載の方法。
【請求項１８２】
前記広告主所有のウェブサイトでの前記オンライン広告の有効性を測定する段階が、前記広告主所有のウェブサイトのビジターの数を測定する段階を含む、
ことを特徴とする請求項９８に記載の方法。
【請求項１８３】
前記広告主所有のウェブサイトでの前記オンライン広告の有効性を測定する段階が、ビューワが広告のリンクをクリックすることにより前記広告主が達成するトランザクションを測定する段階を含む、
ことを特徴とする請求項９８に記載の方法。
【請求項１８４】
オンライン広告主にオンラインメディアプランを提供するためのシステムであって、
複数のオンラインメディアプロパティのレート情報のデータベースと、
それぞれの人口動態に対する前記オンラインメディアプロパティのパフォーマンスに関する情報のデータベースと、
前記広告主によってターゲットされる少なくとも１つのオーディエンスに関する情報をオンライン広告主に指示するインターフェースと、
料金表、パフォーマンスに関する情報、前記人口動態、及び予算に基づいて、オンラインメディアプランを生成する論理回路と、
前記プランを購入のために前記オンライン広告主に提示するインターフェースと、
を含むシステム。
【請求項１８５】
前記インターフェースが、前記オンライン広告主から予算を取得する、
ことを特徴とする請求項１８４に記載のシステム。
【請求項１８６】
オンライン広告主にメディアプランを提供する方法であって、
前記オンライン広告主からロケーションデータを受け取り、前記ロケーション情報と該ロケーション情報を関連付けるデータベースとに基づいて、利用可能な市場を決定する段階と、
前記オンライン広告主から市場選択対象を受け取り、オンラインメディアプロパティのレート情報を含むデータベースに基づいて、実行可能なオンラインメディアプロパティを決定する段階と、
ビジネスカテゴリー又は人口動態の選択対象を受け取り、カテゴリーマッチングを行なって、カスタムオンラインネットワーク階層を決定する段階と、
キャンペーンパラメータを受け取り、前記キャンペーンパラメータに基づいてオンラインメディアプランを生成する段階と、
を含む方法。
【請求項１８７】
前記キャンペーンパラメータが、予算、メディア目標、及びメディアスケジュールを含む、
ことを特徴とする請求項２９に記載の方法。
【請求項１８８】
前記オンライン広告主のための前記メディアプランをデータベース内に記憶する段階と、
セーブされたプランのリストを前記オンライン広告主がビューできるようにする段階と、
前記オンライン広告主によって選択されたプランを表示する段階と、
を含む、
ことを特徴とする請求項２９に記載の方法。
【請求項１８９】
利用可能なオンラインネットワークを連続的にチェックし、予算がなくなるまで利用可能な残りの予算を決定し、予算が利用可能である場合には前記オンラインネットワークを前記プラン内に含める段階を含む、
ことを特徴とする請求項２９に記載の方法。
【請求項１９０】
印刷広告主のための印刷メディアプランを生成するコンピュータ化された方法であって、
複数の印刷メディアプロパティの広告レートに関する情報を記憶する段階と、
前記印刷メディアプロパティによって到達される印刷オーディエンスに関する情報を記憶する段階と、
前記印刷広告主に関する情報を記憶する段階と、
前記広告レート、印刷オーディエンスに関する情報、前記印刷広告主に関する前記情報に基づいて、印刷広告のためのメディアプランを生成する段階と、
前記メディアプランを購入のために前記印刷広告主に提示する段階と、
を含む方法。
【請求項１９１】
前記印刷広告が、雑誌に配置される広告を含む、
ことを特徴とする請求項９８に記載の方法。
【請求項１９２】
前記印刷広告が、新聞に配置される広告を含む、
ことを特徴とする請求項９８に記載の方法。
【請求項１９３】
前記印刷広告が、電話帳に配置される広告を含む、
ことを特徴とする請求項９８に記載の方法。
【請求項１９４】
前記印刷広告は、ダイレクトメールで提供される広告を含む、
ことを特徴とする請求項９８に記載の方法。
【請求項１９５】
前記印刷プロパティが全国的刊行を含む、
ことを特徴とする請求項９８に記載の方法。
【請求項１９６】
前記メディアプランが、前記印刷広告を掲載する日付のリストを含む、
ことを特徴とする請求項９８に記載の方法。
【請求項１９７】
前記メディアプランが、広告を掲載する印刷刊行物、雑誌、新聞、及びダイレクトメールのリストを含む、
ことを特徴とする請求項９８に記載の方法。
【請求項１９８】
前記メディアプランが、前記プランにおける広告を掲載する号数及び巻数並びに発行数を含む、
ことを特徴とする請求項９８に記載の方法。
【請求項１９９】
指定予算内で広告の要求数を購入できるようにするターゲット人口動態に到達する印刷広告の形式を選択する段階を含む、
ことを特徴とする請求項９８に記載の方法。
【請求項２００】
読者の関心のあるレジャー、利用している技術、ブランドの好み、種々の製品及びサービスへの支出額の組合せを含む前記オーディエンス情報に基づいて、前記印刷メディアプランを生成する段階を含む、
ことを特徴とする請求項９８に記載の方法。
【請求項２０１】
前記メディアプランの少なくとも一部を印刷メディアプロパティに送る段階を含む、
ことを特徴とする請求項９８に記載の方法。
【請求項２０２】
各実行動態に対するそれぞれのオーディエンス情報を合計して人口動態の総数で除算することによって印刷メディアプロパティをランク付けし、人口動態が選択されていない場合には前記オーディエンス情報によって印刷ネットワークをランク付けする段階を含む、
ことを特徴とする請求項９８に記載の方法。
【請求項２０３】
印刷広告主に印刷メディアプランを提供するためのシステムであって、
複数の印刷メディアプロパティのレート情報のデータベースと、
それぞれの人口動態に対する前記印刷メディアプロパティのパフォーマンスに関する情報のデータベースと、
前記広告主によってターゲットされる少なくとも１つのオーディエンスに関する情報を印刷広告主に指示するインターフェースと、
料金表、パフォーマンスに関する情報、前記人口動態、及び予算に基づいて、印刷メディアプランを生成する論理回路と、
前記プランを購入のために前記印刷広告主に提示するインターフェースと、
を含むシステム。
【請求項２０４】
前記インターフェースが、前記印刷広告主から予算を取得する、
ことを特徴とする請求項１８４に記載のシステム。
【請求項２０５】
印刷広告主にメディアプランを提供する方法であって、
前記印刷広告主からロケーションデータを受け取り、前記ロケーション情報と該ロケーション情報を関連付けるデータベースとに基づいて、利用可能な市場を決定する段階と、
前記印刷広告主から市場選択対象を受け取り、印刷メディアプロパティのレート情報を含むデータベースに基づいて、実行可能な印刷メディアプロパティを決定する段階と、
ビジネスカテゴリー又は人口動態の選択を受け取り、カテゴリーマッチングを行なって、カスタム印刷ネットワーク階層を決定する段階と、
キャンペーンパラメータを受け取り、前記キャンペーンパラメータに基づいて印刷メディアプランを生成する段階と、
を含む方法。
【請求項２０６】
前記キャンペーンパラメータが、予算、メディア目標、及びメディアスケジュールを含む、
ことを特徴とする請求項２０５に記載の方法。
【請求項２０７】
前記印刷広告主のための前記メディアプランをデータベースに記憶する段階と、
前記印刷広告主がセーブされたプランのリストをビューできるようにする段階と、
前記印刷広告主によって選択されたプランを表示する段階と、
を含む、
ことを特徴とする請求項２０５に記載の方法。
【請求項２０８】
家庭外広告主のための家庭外メディアプランを生成するコンピュータ化された方法であって、
複数の家庭外メディアプロパティの広告レートに関する情報を記憶する段階と、
前記家庭外メディアプロパティによって到達される家庭外オーディエンスに関する情報を記憶する段階と、
前記家庭外広告主に関する情報を記憶する段階と、
前記広告レート、家庭外オーディエンスに関する情報、及び前記家庭外広告主に関する情報に基づいて、家庭外広告のためのメディアプランを生成する段階と、
前記メディアプランを購入のために前記家庭外広告主に提示する段階と、
を含む方法。
【請求項２０９】
前記家庭外広告が広告板用の広告を含む、
ことを特徴とする請求項２０８に記載の方法。
【請求項２１０】
前記家庭外広告がエレベータ用の広告を含む、
ことを特徴とする請求項９８に記載の方法。
【請求項２１１】
前記家庭外広告が、交通機関の１つの形式用の広告を含む、
ことを特徴とする請求項９８に記載の方法。
【請求項２１２】
前記家庭外広告が、バス用の広告を含む、
ことを特徴とする請求項９８に記載の方法。
【請求項２１３】
前記メディアプランが、広告を流す場所のリストを含む、
ことを特徴とする請求項９８に記載の方法。
【請求項２１４】
前記メディアプランが、前記プランにおける広告を流す日付を含む、
ことを特徴とする請求項９８に記載の方法。
【請求項２１５】
指定予算内で広告の要求数を購入できるようにするターゲット人口動態に到達する家庭外広告の形式を選択する段階を含む、
ことを特徴とする請求項９８に記載の方法。
【請求項２１６】
オーディエンスの関心のあるレジャー、利用している技術、ブランドの好み、種々の製品及びサービスへの支出額の組合せを含む前記オーディエンス情報に基づいて、前記家庭外メディアプランを生成する段階を含む、
ことを特徴とする請求項９８に記載の方法。
【請求項２１７】
前記メディアプランの少なくとも一部を家庭外メディアプロパティに送る段階を含む、
ことを特徴とする請求項９８に記載の方法。
【請求項２１８】
家庭外広告主のための家庭外メディアプランを提供するためのシステムであって、
複数の家庭外メディアプロパティのレート情報のデータベースと、
それぞれの人口動態に対する前記家庭外メディアプロパティのパフォーマンスに関する情報のデータベースと、
前記広告主によってターゲットされる少なくとも１つのオーディエンスに関する情報を家庭外広告主に指示するインターフェースと、
料金表、パフォーマンスに関する情報、前記人口動態、及び予算に基づいて、家庭外メディアプランを生成する論理回路と、
前記プランを購入のために前記家庭外広告主に提示するインターフェースと、
を含むシステム。
【請求項２１９】
前記インターフェースが、前記家庭外広告主から予算を取得する、
ことを特徴とする請求項２１８、請求項１８４に記載のシステム。
【請求項２２０】
家庭外広告主にメディアプランを提供する方法であって、
前記家庭外広告主からロケーションデータを受け取り、前記ロケーション情報と該ロケーション情報を関連付けるデータベースとに基づいて利用可能な市場を決定する段階と、
前記家庭外広告主から市場選択対象を受け取り、家庭外メディアプロパティのレート情報を含むデータベースに基づいて、実行可能な家庭外メディアプロパティを決定する段階と、
ビジネスカテゴリー又は人口動態の選択対象を受け取り、カテゴリーマッチングを行なって、カスタム家庭外ネットワーク階層を決定する段階と、
キャンペーンパラメータを受け取り、前記キャンペーンパラメータに基づいて家庭外メディアプランを生成する段階と、
を含む方法。
【請求項２２１】
前記キャンペーンパラメータが、予算、メディア目標、及びメディアスケジュールを含む、
ことを特徴とする請求項２２０に記載の方法。
【請求項２２２】
前記家庭外広告主のための前記メディアプランをデータベースに記憶する段階と、
セーブされたプランのリストを前記家庭外広告主がビューできるようにする段階と、
前記家庭外広告主によって選択されたプランを表示する段階と、
を含む、
ことを特徴とする請求項２２０に記載の方法。
【発明の詳細な説明】
【技術分野】
【０００１】
本出願は、２００５年８月２６日に出願された米国暫定出願第６０／７１１，７７７号、２００５年８月２６日に出願された６０／７１１，８３３号、２００５年８月２６日に出願された６０／７１１，７１７号、２００５年８月２６日に出願された６０／７１１，８２０号、２００５年８月２６日に出願された６０／７１１，８２１号、２００５年８月２６日に出願された６０／７１１，７１９号、及び２００５年８月２６日に出願された６０／７１１，７７４号の利益を請求し、これらの各々は全体が引用により本明細書に組み込まれる。
【０００２】
（関連出願の相互参照）
本明細書において言及される全ての刊行物及び特許出願は、各個々の刊行物又は特許出願が引用により組み込まれるように具体的且つ個々に示されるのと同程度に引用により本明細書に組み込まれる。
【０００３】
本出願は、その各々が引用により本明細書に組み込まれる以下の同時係属出願に関する。
本出願と同時出願の発明者Ｎｉｃｈｏｌａｓ  Ａ．Ｇｒｏｕｆ、Ｌｕｃｙ  Ａｎｎ  Ｌｉｅｂｅｒｍａｎ、Ｍａｘ  Ｍｅｔｒａｌ、Ｓｖｅｉｎ  Ｒｏｒｖｉｋ、Ｄａｖｉｄ  Ｗａｘｍａｎ、及びＪｏｈｎ  Ｈａｓｔｉｎｇｓ  Ｇｒａｎｂｅｒｙによる「Ｓｙｓｔｅｍｓ  ａｎｄ  Ｍｅｔｈｏｄｓ  Ｆｏｒ  Ｍｅｄｉａ  Ｐｌａｎｎｉｎｇ，  Ａｄ  Ｐｒｏｄｕｃｔｉｏｎ，  ａｎｄ  Ａｄ  Ｐｌａｃｅｍｅｎｔ」の米国出願第＿＿（代理人整理番号３１９４４．７０１．２０１）；本出願と同時出願の発明者Ｎｉｃｈｏｌａｓ  Ａ．Ｇｒｏｕｆ、Ｌｕｃｙ  Ａｎｎ  Ｌｉｅｂｅｒｍａｎ、Ｍａｘ  Ｍｅｔｒａｌ、Ｓｖｅｉｎ  Ｒｏｒｖｉｋ、Ｄａｖｉｄ  Ｗａｘｍａｎ、及びＪｏｈｎ  Ｈａｓｔｉｎｇｓ  Ｇｒａｎｂｅｒｙによって発明された「Ｓｙｓｔｅｍｓ  ａｎｄ  Ｍｅｔｈｏｄｓ  Ｆｏｒ  Ｃｏｎｔｅｎｔ  Ｃｕｓｔｏｍｉｚａｔｉｏｎ」に対する米国出願第＿＿（代理人整理番号３１９４４．７０１．２０２）；本出願と同時出願の発明者Ｎｉｃｈｏｌａｓ  Ａ．Ｇｒｏｕｆ、Ｌｕｃｙ  Ａｎｎ  Ｌｉｅｂｅｒｍａｎ、Ｍａｘ  Ｍｅｔｒａｌ、Ｓｖｅｉｎ  Ｒｏｒｖｉｋ、Ｄａｖｉｄ  Ｗａｘｍａｎ、及びＪｏｈｎ  Ｈａｓｔｉｎｇｓ  Ｇｒａｎｂｅｒｙによって発明された「Ｓｙｓｔｅｍｓ  ａｎｄ  Ｍｅｔｈｏｄｓ  Ｆｏｒ  Ｍｅｄｉａ  Ｐｌａｎｎｉｎｇ，  Ａｄ  Ｐｒｏｄｕｃｔｉｏｎ，  ａｎｄ  Ａｄ  Ｐｌａｃｅｍｅｎｔ  Ｆｏｒ  Ｔｅｌｅｖｉｓｉｏｎ」に対する米国出願第＿＿（代理人整理番号３１９４４．７０１．２０３）；本出願と同時出願の発明者Ｎｉｃｈｏｌａｓ  Ａ．Ｇｒｏｕｆ、Ｌｕｃｙ  Ａｎｎ  Ｌｉｅｂｅｒｍａｎ、Ｍａｘ  Ｍｅｔｒａｌ、Ｓｖｅｉｎ  Ｒｏｒｖｉｋ、Ｄａｖｉｄ  Ｗａｘｍａｎ、及びＪｏｈｎ  Ｈａｓｔｉｎｇｓ  Ｇｒａｎｂｅｒｙによって発明された「Ｓｙｓｔｅｍｓ  ａｎｄ  Ｍｅｔｈｏｄｓ  Ｆｏｒ  Ｍｅｄｉａ  Ｐｌａｎｎｉｎｇ，  Ａｄ  Ｐｒｏｄｕｃｔｉｏｎ，  ａｎｄ  Ａｄ  Ｐｌａｃｅｍｅｎｔ  Ｆｏｒ  Ｒａｄｉｏ」に対する米国出願第＿＿（代理人整理番号３１９４４．７０１．２０４）；本出願と同時出願の発明者Ｎｉｃｈｏｌａｓ  Ａ．Ｇｒｏｕｆ、Ｌｕｃｙ  Ａｎｎ  Ｌｉｅｂｅｒｍａｎ、Ｍａｘ  Ｍｅｔｒａｌ、Ｓｖｅｉｎ  Ｒｏｒｖｉｋ、Ｄａｖｉｄ  Ｗａｘｍａｎ、及びＪｏｈｎ  Ｈａｓｔｉｎｇｓ  Ｇｒａｎｂｅｒｙによって発明された「Ｓｙｓｔｅｍｓ  ａｎｄ  Ｍｅｔｈｏｄｓ  Ｆｏｒ  Ｍｅｄｉａ  Ｐｌａｎｎｉｎｇ，  Ａｄ  Ｐｒｏｄｕｃｔｉｏｎ，  ａｎｄ  Ａｄ  Ｐｌａｃｅｍｅｎｔ  Ｆｏｒ  Ｉｎｔｅｒｎｅｔ」に対する米国出願第＿＿（代理人整理番号３１９４４．７０１．２０５）；本出願と同時出願の発明者Ｎｉｃｈｏｌａｓ  Ａ．Ｇｒｏｕｆ、Ｌｕｃｙ  Ａｎｎ  Ｌｉｅｂｅｒｍａｎ、Ｍａｘ  Ｍｅｔｒａｌ、Ｓｖｅｉｎ  Ｒｏｒｖｉｋ、Ｄａｖｉｄ  Ｗａｘｍａｎ、及びＪｏｈｎ  Ｈａｓｔｉｎｇｓ  Ｇｒａｎｂｅｒｙによって発明された「Ｍｅｄｉａ  Ｐｌａｎｎｉｎｇ，  Ａｄ  Ｐｒｏｄｕｃｔｉｏｎ，  ａｎｄ  Ａｄ  Ｐｌａｃｅｍｅｎｔ  Ｆｏｒ  Ｐｒｉｎｔ」に対する米国出願第＿＿（代理人整理番号３１９４４．７０１．２０６）；本出願と同時出願の発明者Ｎｉｃｈｏｌａｓ  Ａ．Ｇｒｏｕｆ、Ｌｕｃｙ  Ａｎｎ  Ｌｉｅｂｅｒｍａｎ、Ｍａｘ  Ｍｅｔｒａｌ、Ｓｖｅｉｎ  Ｒｏｒｖｉｋ、Ｄａｖｉｄ  Ｗａｘｍａｎ、及びＪｏｈｎ  Ｈａｓｔｉｎｇｓ  Ｇｒａｎｂｅｒｙによって発明された「Ｍｅｄｉａ  Ｐｌａｎｎｉｎｇ，  Ａｄ  Ｐｒｏｄｕｃｔｉｏｎ，  ａｎｄ  Ａｄ  Ｐｌａｃｅｍｅｎｔ  Ｆｏｒ  Ｏｕｔ−Ｏｆ−Ｈｏｍｅ  Ｍｅｄｉａ」に対する米国出願第＿＿（代理人整理番号３１９４４．７０１．２０７）。
【背景技術】
【０００４】
広告キャンペーンの開発及び広告の製作は、広告代理店によってアドホックベースで行なわれることが多く、高価で時間がかかる場合がある。
【０００５】
種々のアプリケーション用のコンテンツに対する要望がある。それぞれのユーザに対してコンテンツを製作すると高価になる可能性がある。
【発明の開示】
【０００６】
本発明の種々の実施形態は、広告主用にメディアプランを適切に開発するためのシステム又は方法、並びにこのようなメディアプランの一部として配置できるカスタマイズされた広告を提供する。本発明の他の実施形態は、ユーザ入力に基づいてカスタマイズされたコンテンツを作成するシステム又は方法を提供する。カスタマイズされたコンテンツは、広告或いは他の用途で用いることができる。
【０００７】
本発明の種々の実施形態は、ユーザ入力に基づいてカスタマイズされたコンテンツを作成するシステム又は方法を提供する。カスタマイズされたコンテンツは、広告又は他の用途で用いることができる。
【０００８】
本発明の種々の実施形態は、広告主用にメディアプランを適切に開発するためのシステム又は方法、並びにこのようなメディアプランの一部として配置できるカスタマイズされたテレビコマーシャル又は他の広告を提供する。本発明の他の実施形態は、ユーザ入力に基づいてカスタマイズされたコメントを作成するシステム又は方法を提供する。カスタマイズされたコンテンツは、広告又は他の用途で用いることができる。
【０００９】
本発明の種々の実施形態は、ラジオ広告主のためにメディアプランを適切に開発するためのシステム又は方法、並びにこのようなメディアプランの一部として配置できるカスタマイズされたラジオコマーシャルを提供する。本発明の他の実施形態は、ユーザ入力に基づいてカスタマイズされたラジオコンテンツを作成するシステム又は方法を提供する。カスタマイズされたコンテンツは、広告又は他の用途で用いることができる。
【００１０】
本発明の種々の実施形態は、インターネット広告主のために適切にメディアプランを開発するためのシステム又は方法、並びにこのようなメディアプランの一部として配置できるカスタマイズされたインターネット広告を提供する。本発明の他の実施形態は、ユーザ入力に基づいてカスタマイズされたインターネットコンテンツを作成するシステム又は方法を提供する。カスタマイズされたコンテンツは、広告又は他の用途で用いることができる。
【００１１】
本発明の種々の実施形態は、印刷広告主のために適切にメディアプランを開発するためのシステム又は方法、並びにこのようなメディアプランの一部として配置できるカスタマイズされた印刷広告を提供する。本発明の他の実施形態は、ユーザ入力に基づいてカスタマイズされた印刷コンテンツを作成するシステム又は方法を提供する。カスタマイズされたコンテンツは、広告又は他の用途で用いることができる。
【００１２】
本発明の種々の実施形態は、家庭外メディア広告主のために適切にメディアプランを開発するためのシステム又は方法、並びにこのようなメディアプランの一部として配置できるカスタマイズされた家庭外メディア広告を提供する。本発明の他の実施形態は、ユーザ入力に基づいてカスタマイズされた家庭外メディアコンテンツを作成するシステム又は方法を提供する。カスタマイズされたコンテンツは、広告又は他の用途で用いることができる。
【００１３】
本発明の特徴及び利点のより深い理解は、例示的な実施形態を記載した以下の詳細な説明を参照することによって得られるであろう。
【００１４】
本要約は、本開示に関する例証的な情報を提供し、特許請求される本発明を限定するものではない。
【発明を実施するための最良の形態】
【００１５】
本明細書では本発明の好ましい実施形態を図示し説明しているが、このような実施形態が単に例証として提供される点は当業者には明らかであろう。本発明から逸脱することなく多くの変形、変更、及び置き換えが当業者には想起されるであろう。本発明を実施する際には、本明細書で説明された本発明の実施形態に対する種々の代替形態を用いることができることを理解されたい。添付の請求項は本発明の範囲を定義し、これらの請求項及びその均等物の範囲内にある方法及び構造がこれによって保護されるものとする。
【００１６】
種々の実施形態によれば、本明細書で説明される広告は、テレビコマーシャル（地上放送、ケーブル、衛星、閉回路システム又は他の送信もしくは視聴を含む）及び／又はラジオコマーシャル（地上、短波、長波、衛星配信、又は無線送信の他のいずれかのモードもしくは方法を介した配信）を含むことができるコマーシャル；ウェブサイト、リッチメディアアプリケーション、電子メール、及びバナー広告を含む種々の形式又はフォーマットのいずれか又はいずれかの組合せでインターネット上で又はインターネットを介した配信用の広告；例えば、雑誌、新聞、新聞配布雑誌、電話帳及び／又はダイレクトメールのいずれか又はいずれかの組合せで発行されることになる印刷物広告；広告板、劇場、映画館、レストラン及びバー、エレベータ、交通機関、及び家庭外広告を配置する他のスペースのいずれか又はいずれかの組合せを含む種々の場所に出稿される家庭外広告；のいずれかを個々に或いはいずれかの組合せで含む。
【００１７】
図１は、本発明の実施形態によるシステムを示す論理ブロック図であり、広告主がメディアプランを開発及び購入し、このようなメディアプランの一部として配置するためのカスタマイズされた広告を作成し購入することができる１つ又はそれ以上のクライアントコンピュータＲを含む。
【００１８】
クライアントコンピュータＲは、マイクロソフトインターネットエクスプローラなどのウェブブラウザ、又はウェブページ（Ａ、Ｋ、Ｌ、及びＭ）を表示するための他のクライアントソフトウェア、或いはサーバと対話するための他のインターフェースを含むことができる。クライアントコンピュータは、インターネットＢなどのネットワーク、或いはローカルエリアネットワーク（ＬＡＮ）又はイントラネットなどの他のいずれかのネットワークを経てウェブサーバＣと通信する。図１では、別個のアイテムとして幾つかの要素（Ｄ、Ｅ、Ｆ、Ｇ、Ｈ、Ｉ、Ｊ、Ｎ、Ｑ、及びＳ）を示しているが、これらのアイテムは全て、ウェブサーバシステムＣの一部とすることができ、或いは他のコンピュータ及び記憶システムにわたって分散させ、ローカルエリアネットワーク（ＬＡＮ）又は他のネットワークを経てウェブサーバＣがアクセスすることができることは理解されるであろう。これらの要素は、ウェブサーバＣによって実行されるソフトウェア命令を含むコンピュータプログラムＤ、データベース（Ｅ、Ｆ、Ｇ、Ｈ、Ｉ、Ｊ、及びＱ）、ファックス又はプリンタもしくは他の周辺通信デバイスＮ、及びＨＴＭＬ文書Ｓを含む。
【００１９】
以下は、メディアプランを開発及び購入し、広告をカスタマイズ及び購入し、更にメディアプランに従って広告を出稿するための図１のシステムと接続して使用される例示的な方法である。ウェブサーバは、広告主など、クライアントコンピュータを使用する顧客向けのインターフェースとして機能するウェブサイトを提供する。ウェブページは、ウェブサーバに接続された記憶装置上のＨＴＭＬ文書ＳのディレクトリからウェブサーバＣによってサービスされる。広告主は、ウェブページＡからインターネットＢを介してウェブサーバＣにメディアプランの要求を提出する。ウェブサーバは、コンピュータプログラムＤに要求を提出し、メディアプランを作成する。
【００２０】
メディアプランは、広告主による業種選択又はターゲット人口動態の直接選択、並びに広告主によって提供されるプラン目標、継続期間、及び予算情報に基づいて、ある人口動態をターゲットとする広告を出稿するプランとすることができる。
【００２１】
広告及びプランは、テレビ、ラジオ、インターネット、印刷物、家庭外、その他のような、本明細書で説明されるそれぞれのメディアの形式を取ることができる。１つの実施形態では、システムがそれぞれの異なるメディアで別個にインベントリを追跡し、それぞれのメディアプランのパフォーマンスを最適化するためにメディアの理想的なパフォーマンスを決定する際にそれぞれのメディアに関する情報を使用する。本発明の１つの実施形態では、システムは、最適なメディアプランを生成するときにオーディエンス情報及びそれぞれのメディアに関する情報を考慮する。例えば、本発明の１つの実施形態によれば、本システムは、ユーザのそれぞれのターゲット市場のための異なるそれぞれのメディアにおける実施可能なパフォーマンスを比較し、それぞれのターゲット市場に対してより良好に機能するメディアを使用するメディアプランを生成する。
【００２２】
メディアプランは、種々の実施形態において、あらゆる局（テレビ及び／又はラジオ局）のリスト、刊行物、場所、広告のインターネットモード、広告を流す日付、広告を流す時間帯、広告レート、広告を流す市場、スケジュールのタイプ（例えば、掲載のスケジュール又は固定）、メディアプランの各部分に対する放送の数及び総コストをそれぞれのメディアに応じて種々の組合せで含む。
【００２３】
コンピュータプログラムは、メディア配置データベースＥ、メディア購買規則データベースＦ、及び広告主情報データベースＧからのデータを使用して、メディアプランを生成する。例えばデータベースは、オーディエンス情報と、ＭＳＯによって提供されるチャンネル、価格設定層、及び各チャンネルにおいてその日のうちの種々の部分（タイムスロット）の間にチャンネル上に広告を流すコストを定めた料金表とを含む、指定市場エリア（ＤＭＡ）、地域、ゾーン、及び／又はヘッドエンドにおける複数システムオペレータ（ＭＳＯ）に関する情報を記憶することができる。種々の実施形態によれば、オーディエンス情報は、視聴率（例えば、ニールセン視聴率）、並びに人口動態、ライフスタイル、ブランド／ユーザボリューム情報及びプロファイル（例えば、メディアマークリサーチ社「ＭＲＩ」などのソースからのデータ）のような他のオーディエンス情報、オーディエンスの関心のあるレジャー、利用している技術、ブランドの好み、種々の製品及びサービスへの支出額、及び／又は種々の他のソース、サービス、又は入力（例えば米国人口調査データ）から発生する他の人口動態データの１つ又はいずれかの組合せに関するデータのうちの１つ又はいずれかの組合せを含む。本発明の幾つかの実施形態によれば、それぞれのオーディエンス情報は、人口動態カテゴリー（例えば年齢グループ、性別、世帯、その他）に従ってカテゴリー化及び／又はそれぞれのチャンネルに使用される。例示的な実施形態では、コンピュータプログラムが、この情報と、メディアプランのユーザ指定目標に一致する１つ又はそれ以上のメディアに広告を提供する他のデータ（例えば、ターゲットの人口動態に到達するためのコスト及び／又はポイントデータ当たりの価格）とに基づいてメディアプランを生成し、指定予算（レート情報、視聴率、及びオーディエンス情報に基づいて）内でターゲットの人口動態に到達するメディア（例えば、テレビ、ラジオ、インターネット、印刷物、家庭外、又はその他）と、メディアの種々の属性（例えば、規定通りに、チャンネル、１日の時間、場所など）とを選択する。それぞれのメディアの視聴率及び／又は広告のタイプは、本発明の実施形態に従って価格ポイント（及び／又は予算）に従って提供される。
【００２４】
本発明の実施形態は、テレビ用のメディアプランの生成を目的とする。メディアプランは、テレビ局のリスト、広告を流す日付、広告を流す時間帯、広告レート、広告を流す市場、スケジュールのタイプ（例えば流すスケジュール又は固定）、放送の数、及びメディアプランの各部分に対する総コストを含む。本発明の実施形態によれば、図１のシステムは、テレビ用のメディアプランを開発及び購入し、テレビ広告をカスタマイズ及び購入し、メディアプランに従って広告を出稿する。ウェブサーバは、クライアントコンピュータを使用するテレビ広告顧客のためのインターフェースとして機能するウェブサイトを提供する。テレビ広告主は、ウェブページＡからインターネットＢを介してウェブサーバＣにメディアプランの要求を提出する。ウェブサーバは、コンピュータプログラムＤに要求を提出し、テレビ用のメディアプランを作成する。例示的な実施形態では、メディアプランは、広告主による業種選択又はターゲット人口動態の直接選択、並びに広告主によって提供されるプラン目標、継続期間、及び予算情報に基づいて、ある人口動態をターゲットとするコマーシャルをテレビに出稿するためのプランとすることができる。メディアプランは、テレビ局のリスト、広告を流す日付、広告を流す時間帯、広告当りのレート、広告を流す市場、スケジュールのタイプ（例えば、流すスケジュール又は固定）、放送の数、及びメディアプランの各部分に対する総コストとすることができる。コンピュータプログラムは、メディア配置データベースＥ、メディア購買規則データベースＦ、及び広告主情報データベースＧからのデータを使用して、メディアプランを生成する。例えばデータベースは、指定市場エリア（ＤＭＡ）、地域、ゾーン、及び／又はヘッドエンドにおける複数システムオペレータ（ＭＳＯ）に関する、種々の人口動態カテゴリー（例えば、年齢グループ、性別、世帯、その他毎）内の各チャンネルに対する視聴率情報（例えばニールセン視聴率）、及びＭＳＯによって提供されるチャンネルの層を指定する料金表、及び各チャンネルにおいてその日のうちの種々の部分（タイムスロット）の間にこれらのチャンネル上で広告を流すためのコストを含む情報を記憶することができる。例示的な実施形態では、コンピュータプログラムは、この情報と、メディアプランのユーザ指定目標に一致したスポットの数を提供する他のデータ（例えば、ターゲット人口動態に到達するためのコスト及び／又はポイントデータ当たりの価格）とに基づいてテレビ用のメディアプランを生成し、指定予算（料金表情報、視聴率、及びオーディエンス情報に基づく）内でスポットの要求数を購入できるようにするターゲット人口動態に到達するチャンネル及び時間帯を選択する。
【００２５】
本発明の実施形態は、シンジケーテッド・ナショナルプログラミング（ナショナルブロードキャストＴＶに類似）又はスポットマーケットプログラミング（スポットマーケットブロードキャストＴＶに類似）としてＤＭＡ内の局、サービス、又はサードパーティによって販売されるラジオ広告（地上ラジオ及び加入者及び非加入者ベースの衛星ラジオ広告を含む）への応用を含むことができる。実施形態は、地方又は全国的に販売されるシンジケーテッドプログラミング、或いは地方で販売されるスポットマーケットプログラミングにおいて適用することができる。実施形態は、個々の局によって又は複数の局を販売する会社を通じて購入された広告、更に曜日及び／又は時間帯に基づいて、及び／又は特定のプログラミングに基づいていずれかの組合せで購入された広告に適用することができる。１つの実施形態によれば、曜日及び時間帯の選択は、人口動態（例えば、年齢、性別、その他）及び／又は広告主が到達したいと望む心理学的変数（例えば、ライフスタイル又は関心のある好み）によって定義された特定のオーディエンスをターゲットとする。
【００２６】
ラジオ広告に関する実施形態では、データベースは、種々の人口動態カテゴリー（例えば、年齢グループ、性別、世帯、その他毎）内の各チャンネルに対する視聴率情報（例えばサードパーティ測定サービス又はツールを用いる）と、及びラジオオペレータ又は局オーナーから価格設定層及び１日の種々の部分（タイムスロット）の間にその無線局で広告を流すためのコストを定める料金表とを含む、特定の地域、ゾーン、ヘッドエンド、又はエリア毎に分類されたＤＭＡ毎のラジオ局に関する情報を記憶することができる。例示的な実施形態では、コンピュータプログラムは、この情報と、メディアプランのユーザ指定目標に一致したスポットの数を提供する他のデータ（例えば、ターゲット人口動態に到達するためのコスト及び／又はポイントデータ当たりの価格）とに基づいてメディアプランを生成し、指定予算（レート情報、視聴率、及びオーディエンス情報に基づく）内で要求スポットを購入できるようにするターゲット人口動態に到達するラジオ局を選択する。
【００２７】
本発明の実施形態は、全国的に購入されたオンラインメディア、及び／又はＤＭＡ、地域、及びゾーンタイプモデルに沿って地方で購入又はターゲットされたオンラインメディアへの適用を含むことができる。本発明の実施形態は、サイトのコンテンツに基づいて販売されるオンライメディア広告への応用を含むことができ、広告主は、求める顧客に到達するサイトを選択する。種々の実施形態によれば、オンラインメディアの価格設定は、広告のタイプ（バナー、有料サーチ、リッチメディア）、広告のインプレッション数、広告のクリックスルー、及び／又は事前に定められた動作を行うビューワに基づく。
【００２８】
インターネット広告に関する実施形態では、メディアプランは、広告が出稿されるウェブサイト又はウェブサイトのリスト、或いは、広告が送信される電子メールアドレス、広告がウェブ上にポストされるか又は電子メールリストに送られる日付、広告のタイプ（例えば、リッチメディア、バナー広告、電子メール、サードパーティのウェブサイト上のストリーミングクリップ、ポップアップ広告、クリックスルー広告）に基づく広告レート、広告を流す市場、広告を流すウェブサイト、広告を流す時間の長さ、所与の時間内に広告が現れる頻度、放送の総数、及びメディアプランの各部分に対する総コストを含むことができる。コンピュータプログラムは、メディア配置データベースＥ、メディア購買規則データベースＦ、及び広告主情報データベースＧからのオンラインメディアに固有のデータを使用してメディアプランを生成する。例えばデータベースは、種々の人口動態カテゴリー（例えば、年齢グループ、性別、世帯、その他毎）内の広告の各オンライン形式での測定情報（例えば、サードパーティ測定サービス又はツールを利用する）、及び利用可能な場合にその日の種々の部分（タイムスロット）間に広告のオンライン形式で広告を流す価格設定及びコストを定めるレート情報を含む、全国的に機能する関心事として或いは特定の地域、ゾーン、又はより小エリアによって分割されたＤＭＡ毎のウェブサイトに関する情報を記憶することができる。データベースは、電子メールリスト及び他のウェブベースのマーケティングソリューションを含む、オンライン広告の種々のチャンネルについての他の情報を記憶することができる。例示的な実施形態では、コンピュータプログラムは、この情報と、メディアプランのユーザ指定目標に一致するある数の広告を提供する他のデータ（例えば、ターゲットの人口動態に到達するためのコスト及び／又はポイントデータ当たりの価格）とに基づいてメディアプランを生成し、指定予算内（レート情報、視聴率、及びオーディエンス情報に基づく）で広告の要求数を購入できるようにするターゲット人口動態に到達する広告のオンライン形式（例えば、電子メール、バナー、リッチメディア、ポップアップ、その他）を選択することになる。１つの実施形態によれば、選択は、視聴率、オーディエンス情報、その他の種々の組合せを含む本明細書にリストされた要因に基づく。
【００２９】
本発明の実施形態は、サードパーティ測定ツールによるインターネットサイトについてのオーディエンス測定（例えば、ユーザ及び人口動態の数）、或いは、ある実施形態においてビューワが広告内のリンクをクリックすることにより広告主が達成できるビジター又は販売及び／又は他のトランザクションの数によって広告主のウェブサイトでのインターネット広告の有効性を測定することを含む、他の測定を使用する段階を含む。
【００３０】
印刷広告に関する実施形態では、メディアプランは、全国的に、地域的に、又は地方で購入された印刷刊行物、電話帳、ダイレクトメール、及び広告が出稿されることになる印刷物の他の形式のカテゴリーのうちの１つ或いはこれらのいずれかの組合せを含むことができる。１つの実施形態は、国内雑誌及び／又はより小さな地理において購入され及び／又は限定的な地理内で流通されるこうした印刷メディア又は他の印刷メディアにおける印刷広告の配置を含む。刊行物の流通、読者の人口動態、及び刊行物の内容に基づいて販売される印刷広告のような、印刷広告を使用することができる。オーディエンス流通及び他の刊行情報は、サードパーティ測定ツールにより達成される。
【００３１】
印刷広告に関する実施形態では、メディアプランは、以下のカテゴリー或いは本明細書で説明される以下のメディア又は他の印刷メディアのいずれかの組合せのうちの１つ、すなわち地方又は地域的な流通及び／又は全国的刊行物を含む新聞（例えば、ＵＳＡ  Ｔｏｄａｙ、Ｔｉｍｅ  Ｍａｇａｚｉｎｅ、その他）を含むことができる。実施形態は、雑誌又は新聞内の配置、広告のサイズ、及びカラーの使用に基づいて販売される広告の使用を含むことができる。実施形態は、サードパーティ測定ツールを介したオーディエンス流通に関する情報及び他の刊行情報の使用を含むことができる。
【００３２】
メディアプランは、印刷刊行物、雑誌及び／又は新聞、電話帳、ダイレクトメール、及び印刷の他の形式、広告が掲載される日付のリストを含むことができ、例えば、号数、巻数、広告レート、広告が掲載される市場、広告が掲載される発行数、及びメディアプランの各部分に対する総コストを含む。コンピュータプログラムは、メディア配置データベースＥ、メディア購買規則データベースＦ、及び広告主情報データベースＧから印刷刊行物に固有のデータを使用して、メディアプランを生成する。例えば、データベースは、種々の人口動態カテゴリー（例えば、年齢グループ、性別、世帯、その他毎）内の各セグメントについてのオーディエンス情報（例えばサードパーティ測定サービス又はツールを用いる）を含む、ニッチ、市場セグメント、又は特定の地域、ゾーン、もしくはより小さなエリアによって分割された地理毎の印刷刊行物に関する情報と、これらの雑誌又は新聞に広告を載せるための価格設定層及びコストを定めるレート情報とを記憶することができる。
【００３３】
家庭外メディア広告についての実施形態では、メディアプランは、全国的、地域的、又は地方の家庭外メディア広告の何らかの構成を含むことができる。このような広告は、地方メディア及び／又は広告板、交通機関の外側、店内及び他の場所への配置、ビデオ、空中文字、その他を含むことができる。実施形態は、そのメディアに露出される個人の所与の市場における表示、すなわちパーセントに基づいて、このような広告が販売されるプランを含むことができる。表示に関する情報は、サードパーティによって測定され提供される。この情報は、実施形態に従ってメディア配置データベースに統合することができる。
【００３４】
家庭外メディア広告のメディアプランは、場所、広告を流す日付、場所当たりの広告レート、広告を流す市場、及びメディアプランの各部分に対する総コストのリストとすることができる。コンピュータプログラムは、メディア配置データベースＥ、メディア購買規則データベースＦ、及び広告主情報データベースＧから家庭外メディアに固有のデータを使用して、メディアプランを生成する。例えば、データベースは、ＤＭＡ毎の家庭外の場所に関し、特定の地域、ゾーン、ヘッドエンド、又はエリアによって分割された情報を記憶することができ、種々の人口動態カテゴリー（例えば、年齢グループ、性別、世帯、その他毎）内の各場所に対する視聴率情報（例えば、サードパーティ測定サービス又はツールを用いる）、及び種々の家庭外場所を定める料金表、並びにこれらの場所に広告をポストするコストを含む。例示的な実施形態では、コンピュータプログラムは、この情報と、メディアプランのユーザ指定の目標に一致した広告の数を提供する他のデータ（例えば、ターゲットの人口動態に到達するためのコスト及び／又はポイントデータ当たりの価格）とに基づいてメディアプランを生成し、指定予算（レート情報、視聴率及びオーディエンス情報に基づく）内で広告の要求数を購入できるようにするターゲットの人口動態に到達する場所を選択する。
【００３５】
１つの実施形態によれば、広告主はまた、広告テンプレートデータベースＪから取り出されるウェブページＬ上のテンプレートをブラウズして選択し、カスタマイゼーション情報をカスタマイゼーションウェブページＭに入力することができ、或いはその独自の広告（広告配置データベースＨにアップロードできる）を使用するオプションを選択することができる。
【００３６】
結果として得られるメディアプランは、広告配置データベースＨに記憶される。生成されたメディアプランは、ウェブページＫを介して編集／承認のために広告主に表示される。広告主は、メディアプランを編集、セーブ及び／又は購入することができる。
【００３７】
承認されたメディアプラン及びカスタマイズされた広告は、Ｐで示されるような、放送局、刊行物、ウェブサイト、或いは広告の表示場所又はディストリビュータなどの１つ又は複数のメディアプロパティに（電子メール、ファックス、ウェブページ、又は他の手段を介して）送られる。広告は、例えばデジタルで、或いはテープ（ＤｉｇｉＢｅｔａ、Ｂｅｔａ  ＳＰ、３／４インチ、又は他の形式）又は他のメディアを含むことができる何らかの他のメディアを介してメディア又は送信方法の１つ又はこれらの組合せで送ることができる。放送局、刊行物、ウェブサイト或いは広告の表示場所又はディストリビュータなどのメディアプロパティは、メディアプランに従って完成した広告を再生及び／又は表示しようとする。広告主は、広告主情報データベースＧのクレジットカード情報又は他の支払い形式を使用することによって支払うことができる。完成した広告の各オブジェクトに対する権利使用料情報は、資産／権利使用料データベースＩ内に記憶することができる。コンピュータプログラムは、この情報を使用し、広告に使用されたビデオ、音楽、音響効果、スチール、グラフィクス、テキスト、特殊効果、及び／又は他のメディアオブジェクトのいずれか又はこれらの組合せに対して使用できる広告の権利使用料を自動的に計算し支払うことができる。
【００３８】
図２は、本発明の実施形態による、全体的に２００で示されるウェブサーバシステムのアーキテクチャを示すブロック図である。図２の例示的な実施形態に示されるように、ウェブサーバシステムは、Ｉｎｔｅｌ  Ｐｅｎｔｉｕｍ（商標）プロセッサ、ＡＭＤ  Ａｔｈｌｏｎ（商標）プロセッサ又は他のプロセッサなどの命令を処理するためのプロセッサ２０２を含むことができる。プロセッサ２０２は、プロセッサバス２０６によってチップセット２０４に接続されている。チップセット２０４は、メモリバス２１０によってランダムアクセスメモリ（ＲＡＭ）２０８に接続され、プロセッサ２０２によりＲＡＭ２０８へのアクセスを管理する。チップセットはまた、周辺バス２１２に接続されている。周辺バスは、例えば、ＰＣＩ、ＰＣＩ−Ｘ、ＰＣＩ  Ｅｘｐｒｅｓｓ、又は他の周辺バスとすることができる。ウェブサーバシステム２００はまた、インターネットＢなどのネットワークに対するネットワークインターフェースを提供するために周辺バスに接続された１つ又はそれ以上のネットワークインターフェースカード（ＮＩＣ）２１４を含む。ディスクアレイ又は他の不揮発性記憶装置などの外部記憶装置２１６も周辺バス２１２に接続されている。
【００３９】
ソフトウェアＤ、データベース２１８、及びＨＴＭＬ文書Ｓは、外部記憶装置２１６又は他のコンピュータ可読媒体内に記憶され、プロセッサが使用するためにＲＡＭ２０８にロードすることができる。データベース２１８からのデータの部分は、ソフトウェアＤに従って、プロセッサ２０２による操作のためにメモリ２０８又は他のコンピュータ可読媒体内のデータ構造２２０にロードされる。ウェブサーバ２００は、Ｍｉｃｒｏｓｏｆｔ  ＷｉｎｄｏｗｓＮＴ、Ｌｉｎｕｘ又は他のオペレーティングシステムなどのシステムリソースを管理するためのオペレーティングシステム、並びにＨＴＭＬサーバ、メディアプラン生成アプリケーション、及び広告テンプレートカスタマイゼーションアプリケーションを実施するためにオペレーティングシステムのトップで動作するアプリケーションソフトウェアを含む。２２２に示されるように、データベースは、情報を問合せ且つ検索できるようにする相互参照又は互いへのリンクを含むことができる。例示的な実施形態では、データベースはリレーショナルデータベースとすることができ、標準照会言語（ＳＱＬ）又は他のメカニズムを使用して問合せることができる。
【００４０】
図３は、本発明の実施形態と共に使用できる例示的なデータベーススキーマである。図３は、データベース２１８内に記憶されているデータに対するサンプルテーブル及びデータエントリ、並びに種々のテーブル間のリンクを示す。テーブルの左のグループは、チャンネル／スポットデータ３０２を記憶し、テーブルの中央のグループは、メディアプランデータ３０４を記憶し、テーブルの右のグループは、広告／映像データ３０６を記憶する。
【００４１】
図４は、４０６においてメディアプランを選択して購入する例示的なフローチャート、４０８に本方法で使用されるデータベース、及び４１０で本方法の各ステップに対する入力／出力に関する情報を示している。図５は、メディアプランを選択し購入するための方法のより詳細なフローチャートを示す（更に、カスタマイズされた広告を生成し購入するステップを含む）。図６−１４は、図４及び５に示すメディアプランを選択し購入する方法に関連したクライアントコンピュータＲ上に表示することができるウェブページの例示的なスクリーンショットを示す。次に、メディアプランを選択し購入する例示的な方法についてこれらの図を参照しながら説明する。
【００４２】
図４のステップ４０１及び図５のステップ５０１に示されるように、ユーザは、ユーザが広告を出したい場所を最初に尋ねられる。この情報を要求する例示的なウェブページが図６に示されている。図６に示されるように、ユーザは、都市、州及び／又は国（６０２を参照）或いは郵便番号（又は国コード）（６０４を参照）の種々の組合せの形式とすることができるロケーション情報によってロケーションを指定することができる。次いで、ウェブサーバシステム２００上のコンピュータプログラムＤ（図１及び２を参照）は、このロケーション情報を使用して、メディア配置データベースＥに問い合わせをし、指定市場エリア（ＤＭＡ）、地域、ゾーン、及び指定ロケーションのヘッドエンド、並びにエリアに対するＭＳＯを特定する。メディア配置データベースＥは、この情報を郵便番号に関連付ける郵便番号テーブルと、この情報を都市又は国に関連付ける都市又は国テーブルとを含むことができる。このステップからの出力は、ユーザが入力した郵便番号又は都市について利用可能な市場を示すウェブページである。図７は、Ｓａｎｔａ  Ｂａｒｂａｒａ／Ｓａｎ  Ｌｕｉｓ  Ｏｂｉｓｐｏ  ／  Ｓａｎｔａ  Ｍａｒｉａ  ＤＭＡに対する利用可能な市場を示す例示的なウェブページを示す。
【００４３】
図４のステップ４０２及び図５の５０２に示されるように、次に、ユーザは所望の市場を選択することができる。例えば、図７の７０２に示されるようなチェックボックスをこの目的のために使用することができる。ボックス４１０において４０２で記述されているように、選択された市場を利用して、広告のＭＳＯ、ウェブサイト、放送局、発行者、ウェブサイト又は場所、又はディストリビュータなどのメディアプロパティ毎の料金表、利用可能なメディアインベントリ数、配信規則、及び方法並びにスケジューリング要件を調べることができる。例えば、メディア配置データベースＥは、この情報を各メディアプロパティ及び／又はディストリビュータに関連付けるメディアプロパティテーブルを含むことができる。データベースに問い合わせをして、メディアプランにおいて（選択された市場に基づいて）使用できる全ての実行可能なメディアプロパティ及び／又はディストリビュータを決定することができる。これは、メモリ２０８内のデータ構造、或いはデータベースの１つ（広告主情報データベースＧなど）において後で使用するために記憶することができる。
【００４４】
図４のステップ４０３及び図５の５０３に示されるように、次に、ユーザが、メディアプラン用の業種又は人口動態情報を指定するよう尋ねられる。種々のステップの順序は、種々の実施形態において変更することができる（ステップ５０３及び５０４で図４とは異なる順序を有する図５に示される）ことは理解されるであろう。
【００４５】
図８は、業種又は人口動態情報を要求するためのウェブページを示す。８０４に示されるように、メニューを使用して業種を選ぶことができる。メニューは、ハイレベルのカテゴリーから始めることができる。カテゴリーが選択されると、選択されたカテゴリーはブレッドクラム形式で８０２に示される。次いで、メニュー８０４は、階層様式でそのカテゴリー内の選択肢を示す。図８において、ユーザは、既に、トップレベルカテゴリーとして「フードサービス」を、次に「食料品店」、「ニッチマーケット」及び「特殊」を選択している。メニュー８０４は、特殊化されたカテゴリー内の製品に対する選択肢を示している。アート及びエンターテインメント（「バー及びパブ」又は「カラオケバー」などのサブ選択肢を有する、「クラブ及びナイトライフ」などのサブカテゴリーを有することができる）などの種々の他の業種カテゴリーを階層的に指定することができる。他の例示的なカテゴリーには、「自動車」、「ビジネス及びプロフェッショナルサービス」、「衣類及びアクセサリー」、「地域社会及び行政」、「コンピュータ及びエレクトロニクス」、「建設及び土建業者」、「教育」、「フード及びダイニング」、「健康及び医薬」、「ホーム及びガーデン」、「産業及び農業」、「法律及びファイナンシャル」、「メディア及びコミュニケーション」、「パーソナルケア及びサービス」、「不動産」、「ショッピング」、「スポーツ及びレクリエーション」、及び「旅行及び輸送」が含まれる。他の実施形態では、他の業種カテゴリー及びサブカテゴリーを使用することができ、種々の方法で相互参照及び相互リスト及び／又はインデックス付けすることができる。
【００４６】
ユーザによって指定された業種は、ターゲットの人口動態を指定するためにコンピュータプログラムＤによって使用することができる。各業種は、人口動態データベースＱのターゲット人口動態に関連付けることができる。人口動態は、業種レポート又は他の基準によって決定することができる。他の実施形態では、人口動態は、同じ業種において他のユーザによって選択された典型的な人口動態に基づいて修正することができる。或いは、ユーザは、ボタン８０６を選択することによって特定の人口動態を入力することができる。次にユーザは、メディアプランに対するターゲット人口動態を（ダイアログボックスに、或いはメニュー又は他の手段から）入力することができる。ターゲット人口動態は、オーディエンス情報が利用可能であるいずれかのカテゴリー（例えば、ニールセン視聴率カテゴリー）とすることができる。実施例は、年齢グループ（例えば、１８＋、１２−２４、１２−３４、１８−３４など）、性別（男性又は女性）、世帯特徴（例えば、収入、大きさ、子供の有無）、及び同様のものを含む。コンピュータプログラムＤは、人口動態情報を使用して、利用可能なメディアプロパティ（例えば、利用可能なＭＳＯに対するネットワーク／チャンネル）をランク付けするための重み付け（ステップ４０２／５０２で求められ、実行可能なメディアプロパティを出力する）を決定する。次いで、コンピュータプログラムＤは、ターゲット人口動態及びオーディエンス情報（例えば、メディア配置データベースＥに全て記憶されているネットワーク又はＭＲＩ情報に対するニールセン視聴率）を与える望ましさの順番で利用可能なメディアプロパティからネットワークのランク付けされたカスタム階層を生成する。これは、後で使用するためにメモリ２０８内のデータ構造又はデータベース２１８（広告主情報データベースＧなど）に記憶することができる。ネットワークの重み付け及びランク付けについては以下で説明する。
【００４７】
図４のステップ４０４及び図５の５０４で、ユーザは、メディアプランに対する目標及び予算を選択するよう尋ねられる。図９は、この情報を取得するための例示的なウェブページを示す。図９に示されるように、９０２で、このプランを識別するための名前を入力することができる。広告主情報データベースＧ内のメディアプランテーブルへの入力を利用して、特定のユーザに対するメディアプランについての名前及び他の情報を記憶することができる。ユーザは、９０４でプランに対する予算、９０６でキャンペーンの目標、９０８でキャンペーンの開始日付、及び９１０でキャンペーンの継続期間を指示することができる。例示的な目標は、「期間限定の事象」、「認知性」、「反応」、又は他の目標を含むことができる。目標は、メディア購買規則データベースＦのテーブル内の種々の規則に関連付けることができる。図４のボックス４１０の４０４に記述されるように、コンピュータプログラムＤは、予算、目標、及びスケジュールを使用して、メディアプランに対する推奨メディアスケジュールを生成する。例示的なコンピュータプログラムは、ネットワーク、スポットの数、時間帯、日付、ＲＯＳ対固定配置、地域又はゾーン、到達率、頻度、及びコストを評価し、メディア購買規則データベースＦの規則に基づいて推奨プランを決定することができる。推奨メディアプランを生成するための例示的な方法について、以下で更に説明する。このステップの出力は、図１０に示されるように推奨メディアプランである。図１０に示されるように、チャンネル（１００２）、日付（１００４）、時間帯（１００６）、放送当たりのレート（１００８）、市場（１０１０）、スケジュール（１０１２）、放送（１０１４）、到達率（１０１６）、頻度（１０１８）、及び各エントリに対するコスト（１０２０）を表示することができる。他の実施形態では、頻度及び到達率は表示されない。他の表示配置も使用することができる。ユーザはまた、１０２２に示されるように提案されたメディアスケジュールの各エントリを編集することができる。メディアプランは、広告主情報データベースＧ内にセーブすることができ、ユーザは、図１１に示されるようにセーブされたプランのリストをビューすることができる。ユーザは、プランのいずれかを選択し、これらを図１０又は別のフォーマットに類似した画面でもビューすることができる。図１２は、セーブされたプランをビューするための別のウェブページを示す。１２０２に示されるように、ウェブページは、このプランに対して広告が選択されていないことを示す。以下に説明されるように、広告は、プランに応じた配置向けに選択することができる。広告がプランに対して選択されると、広告のサムネールを１２０２に表示することができる。
【００４８】
図４のステップ４０５及び図５のステップ５０５に示されるように、次にユーザは、メディアプランをレビューし購入することができる。ステップ５０６で示されるように、ユーザは、プランに対する請求情報を入力することができる。この目的のための例示的なウェブページが図１３に示されており、ここでユーザは、とりわけクレジットカード情報１３０２を入力することができる。「購入完了」ボタン１３０４が選択されると、ユーザは、プランに対する総コストに基づいて指定されたクレジットカードでその購入に対して支払うことができる。メディアプランについての要約情報を示す要約ページ（図１４に図示）は、購入が完了した後に表示することができる。
【００４９】
スポットを購入するためにＭＳＯ又は他の放送局にメディアプランを提出するための規則は、メディア購買規則データベースＦ内に記憶されている。例えば、注文用フォーマット（流されるスポット、スポットを流す日／時間帯、スポット用のチャンネル／ネットワーク、スケジュール（ＲＯＳ対固定）、レート、総コスト、その他）、及び注文を提出する方式（例えば、電子メール、ファックス、ウェブページ、他のネットワークインターフェース又は他の手段）を各ＭＳＯに対し記憶することができる。広告のフォーマット及び他の要件、並びに広告を提出する方式（例えば、電子メール、ファックス、ウェブページ、他のネットワークインターフェース又は他の手段）は、各メディアプロパティ（例えば、ＭＳＯ、放送局、発行者、ウェブサイト、その他）又はディストリビュータに対してメディア購買規則データベースＦ内に記憶することができる。ユーザがメディアプランを選択して購入し、そのメディアプランで使用する広告を選択し購入すると、コンピュータプログラムは、メディアプランに使用されることになる各メディアプロパティ又はディストリビュータについてのメディア購買規則データベースＦからのフォーマット及び送信要件を検索することができる。次いで、メディア購買規則データベースＦから検索されたディストリビュータ又はメディアプロパティに対して、特定の規則（例えば、フォーマット及び送信規則）に従って各それぞれのメディアプロパティ又はディストリビュータに注文を出すことができ、広告を提出することができる。
【００５０】
図１５Ａ、Ｂ、及びＣは、推奨メディアプランを生成するための例示的な方法に関する付加的な情報を示す。図１５Ａに示されるように、メディアプランの目標は、メディアプランを生成する際に使用するパラメータに関連付けられている。これらのパラメータは、メディア購買規則データベースＦ内に記憶され、各それぞれの目標タイプに関連付けられている。１５０２に示されるように、推奨継続期間が各目標に対して指定される（但し、ユーザは、上述のように実施形態によっては異なる継続期間を指定することができる）。１５０４に示されるように、目標に基づいて層ミックスも指定することができる。より高い層では、スポット当たりでより高価なプレミアムチャンネル（料金表で指定される）を有することになる。１５０６に示されるように、各目標はまた、スポットを流す時間帯（例えば、１５１０に示されるような、日中、午後、夕刻、夜間）を指定する推奨「時間帯」に関連付けることができる。１５０８に示されるように、スポットの最適数（例えば、１日又は１週間当たりの頻度）も各目標に関連付けられる。
【００５１】
図４のステップ４０３と共に上述されたように、コンピュータプログラムは、推奨メディアプランを決定するためにネットワークをランク付けし、カスタムネットワーク階層を生成する。これは、図５Ｂの１５１２に更に説明される。１５１２に示されるように、ネットワークは、（ステップ４０２で決定される全ての利用可能なメディアプロパティに基づいて）価格毎に層に分離される。ターゲットの人口動態の数ｎが求められる（各選択は、この例示的な実施形態において１つの性別及び年齢グループに等しい）。ネットワークは、各人口動態に対するそれぞれのオーディエンス情報（視聴率など）を合計し、該合計をターゲット人口動態の総数ｎで除算することによってランク付けされる。人口動態が選択されなかった場合、ネットワークは、オーディエンス情報（視聴率、例えば全体視聴率など）によってランク付けされる。次いで、１５１４で、コンピュータプログラムは、適切な層におけるトップランクのネットワークの可用性をチェックする。次に、予算が、１５１６でスポット当たりのコスト（この実施形態では、使用されるデフォルトレートはＲＯＳレートである）によって分割される。ステップ１５１８で、コンピュータプログラムは、予算内のスポットの数が継続期間の間のスポットの最適数よりも大きいかどうかを判定する（これらの両方は、図１５Ａに示されるように目標に基づいて決定される）。ステップ１５１８に関して行なわれた付加的なステップが図１５Ｃに示されている。スポットの数が最適数よりも大きい場合、ステップ１５２０で、コンピュータプログラムは、スポットの最適数がネットワークで利用可能であるかどうかを判定する。各ネットワークに対する可用性は、メディア購買規則データベースＦ内に記憶される（図４に示す）。利用可能である場合、これらのスポットはメディアプランに含められ、本方法はステップ１５３０に進む（図１５Ｂ）。利用可能でない場合、１５２２に示されるように、次の高いランキングが利用可能なネットワークがチェックされる。スポットの数が最適より小さい場合、１５２４で、コンピュータプログラムは、スポットの数が利用可能であるかどうかを判定し、プロセスの次のステップに移動するか、又は１５２６に示されるように次に高いランク付けネットワークをチェックする。ステップ１５２８及び１５２９で、本方法はステップ１５３０に進み（図１５Ｂ）、次の利用可能なネットワークがチェックされ、１５３２で残りの予算がスポット当たりのコストで除算される。次いで本方法はステップ１５１８に戻って反復され、予算がなくなるなで（又は他の何らかの閾値が達成されるまで）継続する。
【００５２】
以下は、別の例示的な実施形態による推奨メディアプランを生成するためのプロセスの更なる説明である。コンピュータプログラムは、推奨メディアプランを決定するための入力として以下を取り入れる。
１）広告する地域のリスト
２）要求される人口動態範囲のリスト
３）広告する時間期間
４）キャンペーンの目標
【００５３】
結果として、これらの入力にマッチする利用可能な時間帯のリストが得られる。目標は、式の幾つかの定数、すなわち、
１）キャンペーンのデフォルト継続期間
２）層間の予算分割
３）時間帯（日中、午後、夕刻、及び夜間）間の広告の分割
４）１週間当たりに流れるスポットの最適数
を定義することである。
【００５４】
時間帯を提案するための例示的な方法は以下のステップを含む。
１）メディア配置データベースから要求される地域の地方チャンネルに結び付けられた料金表スケジュールの全てと、関連する人口動態データ及び前記料金表スケジュールに接続されたあらゆる販売可能な時間帯とを検索する。
２）各スケジュールに対して、３０分当りの要求された人口動態に対する平均オーディエンスを見つけて、スポット当りの価格で除算してスケジュール当たりの生スコアを取得する。
３）層毎にスケジュールを分割し、キャンペーンの目標毎に予算を割り当てる。
４）各層内で、スケジュールを１日の時間に基づいてバケットに分割し、キャンペーン目標によって決められた比率に応じて予算を割り当てる。
５）その生スコア毎にスケジュールを順序付けて、複数のスケジュールが同じスコアを有するようにこれを丸める。
６）ランダム或いはその可用性に基づくいずれかにより同じスコアを有するスケジュールを再度順序付ける。
７）いずれかのバケットにおいて最高スコアリングチャンネルをピックし、他のバケットにおいて同じチャンネルに対するスケジュールを見つける。キャンペーン目標に対する最適数によって定められた広告の数をキャンペーン目標によって定義された比率に応じてスケジュールに割り当てる。割り当てられると、バケットからスケジュールを取り除き、予算がなくなるまで繰り返す。コンピュータプログラムが、最適ネットワークにヒットするためにネットワーク上に広告を割り当てることができない（可用性又は予算制約のいずれかに起因して）場合、次のネットワークに移動する。
８）コンピュータプログラムが最適数又はそうでなければ指定数を満たすようにどのチャンネルにも広告を割り当てることができない場合、キャンペーン継続期間を縮小し、再度トライする。
９）予算がなくなると、割り当てられたスポットブッキング、関連の時間帯、及び掲載カウントを検索し、これらを推奨メディアプランの一部としてユーザに表示する。
【００５５】
図１６は、メディア配置データベースＥ内に記憶され上記の方法で関連して使用することができる例示的な料金表を示す。
【００５６】
上述の態様に加えて、図５は、カスタマイズされた広告を生成及び購入するためのステップを示す。ユーザは、本明細書で説明されるようにメディアテンプレートに基づいてカスタマイズされたメディアシーケンスを形成する技術的な手法に基づいて広告のテンプレートからカスタマイズされた広告を作成することができる。テンプレートは、種々の実施形態に従って、テレビ、ラジオ、インターネット、印刷物、家庭外、又は他のメディアを含む、メディアの種々の形式に適合された種々の形式を取ることができる。
【００５７】
テンプレートは、ユーザによって提供される追加のメディアオブジェクト又は情報でカスタマイズされる。メディアテンプレートは、ビデオオブジェクト、オーディオオブジェクト、イメージオブジェクト、及びテキストオブジェクト、並びにメディアシーケンスにおいて各オブジェクトを再生／表示するためのタイムラインを示す編集決定リスト（ＥＤＬ）を含むことができる。Ｗｉｎｄｏｗｓ  Ｍｅｄｉａ  Ｐｌａｙｅｒ又はＱｕｉｃｋｔｉｍｅファイルなどのメディア編集ソフトウェアを用いて、メディアオブジェクトをメディアファイルにコンパイルすることができる。ユーザは、ウェブページからメディアファイルを再生し、汎用情報を備えたメディアシーケンスをビューすることができる（例えば、メディアシーケンスが広告である場合、汎用情報は、一般的な店名、ボイスオーバー、その他とすることができる）。ダイアログボックスは、メディアシーケンスの一部分の間に再生されるボイスオーバー、バックグランドミュージック、テキスト、ロゴ、或いは他のビデオオブジェクト、オーディオオブジェクト、イメージオブジェクト、又はテキストオブジェクトの全て又は一部など、カスタマイズすることができるテンプレートの要素をユーザに表示することができる。ユーザは、ボイスオーバーのカスタマイズ可能な部分に対して新しいテキストをタイプするか、或いはメディアシーケンスで使用する他のカスタムメディアオブジェクトを選択又はアップロードすることができる。次いで、テンプレートは、図１のＯに示されるように調整され、自動及び手動プロセスの組合せとすることができる。例えば、新しいイメージを自動的にロードし、メディアシーケンスの要求部分の間に表示されるＥＤＬに挿入することができ、或いは新しいボイスオーバーを、ユーザによるテキスト入力に対して手動で記録することができる。カスタマイズされたメディアオブジェクトの全てが作成又はアップロードされた後、カスタマイズされたメディアシーケンスは、ＥＤＬに従ってコンパイルされ、承認のためサードパーティ（広告主など）に（電子メール、ウェブページ、又は他の手段を介して）送られる。
【００５８】
例えば、インターネット広告に関する実施形態では、テンプレートは、既存のリッチメディアオンライン広告又はカスタマイズされた広告を作成するための他のテンプレートを含むことができる。ユーザは、ウェブページＭから広告テンプレートを再生し、汎用情報（例えば、一般的な店名、ボイスオーバー、その他）を備えた広告をビュー及び／又は聴くことができる。電子メール広告の場合、種々の実施形態によれば、ユーザは、許容可能な場合、電子メールアドレス及び他の情報を詳細に調べることができる。静的オンライン広告の場合（幾つかのバナー広告、ポップアップ広告、その他）、種々の実施形態によれば、ユーザは静的オンライン広告をビューすることができる。ダイアログボックスは、カスタマイズできる広告テンプレートの要素をユーザに表示することができる。次に、広告テンプレートは、図１のＯに示されるように調整され、自動及び手動プロセスの組合せとすることができる。カスタマイズされた広告はコンパイルされ、承認のために広告主に（電子メール、ウェブページ、又は他の手段を介して）送られる。
【００５９】
図１７Ａは、マルチメディアシーケンスを送信ネットワークにわたる再生用にカスタマイズされたマルチメディアシーケンスに構築するシステムを示す。メディアテンプレートは、データベース内に記憶されている。テンプレートがユーザのために再生され、ユーザは、カスタム情報を提供するよう促される。カスタム情報がユーザから受け取られ、カスタマイズされたメディアシーケンスとして後で再生するためにテンプレートと結合される。
【００６０】
図１７Ａに示されるように、メディア映像１７０１から、ビデオクリップがビデオクリップライブラリ１７０２内に記憶され、オーディオクリップは、オーディオクリップライブラリ内に記憶される。ビデオ／オーディオ編集ソフトウェア１７０４は、ライブラリ１７０２及び１７０３からのビデオ及び／又はオーディオクリップなどのメディアオブジェクトを処理し、再生のためのテンプレートメディアシーケンス１７０７を提供する。テンプレートは、Ｑｕｉｃｋｔｉｍｅ又はＷｉｎｄｏｗｓ  Ｍｅｄｉａ  Ｐｌａｙｅｒなどのユーザによって再生できるフォーマットに変換される。次いで、これらのテンプレートは、プレビューのための外部ユーザへのアクセスを可能にするために記憶される。テンプレートは、本発明の１つの実施形態によるウェブサーバ上に記憶される。
【００６１】
図１７Ｂは、メディアシーケンス（広告など）をカスタマイズするのを助けるメタデータの使用を示す。各広告テンプレートは、プロジェクト内に記憶することができる。各プロジェクトは、メタデータ１７３５を含むことができる。メタデータ１７３５は、広告主によって変更できるテンプレートの一部を記述するデータを含む。メタデータは、（１）広告主毎に変わる可能性のある広告主名、ロケーション、スローガン、又は電話番号を記述するテキスト或いはいずれかの他のテキスト、（２）ロゴ、店頭の写真、商品写真のようなイメージ、（３）広告に関連する商品、店、又は他の動画映像のビデオ、及び／又は（４）ボイス、背景音、音楽、及び他のオーディオもしくはコンテンツを含む広告に使用されるオーディオ部分の個々又は種々の組合せのいずれかを含むことができる。これらの一部又は全てを提供することによって、ユーザ（広告の場合は広告主）は、オリジナルテンプレートの外観を変更し、カスタマイズされたバージョンを作成することができる。
【００６２】
メタデータはまた、それぞれのテンプレート及び／又はカスタマイズされたメディアシーケンス又はプロジェクト以外の広告に関連した他の方法で記憶することができる。広告テンプレートを記述するプロジェクト内で、オリジナル広告のどの部分がカスタマイズ可能であるかを判断するために組み込まれた特別なタグ（不可視のクリップ）がある。要素は、要素のネーミングに先頭文字（＃）を付加することによってタグ付けされる。要素の名前は、この要素が表わすものを広告主に記述するラベルとして使用される。更に、要素のデフォルトコンテンツとユーザに要素の利用方法を伝えるヘルプストリングを記述するために２つのフィールドが使用される。
【００６３】
データベース及びコンピュータプログラムは、これらの要素を認識し、カスタマイゼーションのためにウェブページ１７３０を介してこれらを広告主に利用可能にする。公共のウェブページ上では、要素は、広告に現れる時間に従って時系列に記憶され、ユーザが容易にカスタマイゼーションを行なえるようにすることができる。従って、ユーザはテンプレートを選択し１７３１、カスタマイズ可能フィールドのリストをビューする１７３２。要素がテキストである場合、ページは、情報を収集するために編集ボックスを表示する１７３３。要素が、イメージ、オーディオ、又はビデオである場合、アップロードダイアログが表示される１７３３。次に、ユーザは、ユーザの入力に従ってカスタマイズされるカスタマイズシーケンスを作成するように更に処理するためのシーケンスを提出する１７３４。
【００６４】
ユーザ対話が終了し、提供情報が広告主によって検証された後、調整プロセスによって処理するために広告が提出される。改訂ＥＤＬがビデオ／オーディオエディタに提供され１７１５、提出されたカスタマイゼーションメタデータを組み入れた新しいオブジェクト（１つのＥＤＬ及び／又はＸＭＬなど）が提供される。このプロセスでは、広告主が置き換えるよう選択したタグ付き要素が、提供情報と置換され、メディアシーケンステンプレート（広告テンプレートなど）が、公表の準備が整った最終広告として（例えば最終データベース１７５０に内に）セーブされる。メディアシーケンスは、サードパーティへの表示又はユーザによるビューのために適切な媒体１７５２（ネットワークなど）を通じて送信ネットワーク又は発行者に提供される１７４３。
【００６５】
本発明の実施形態によれば、テンプレートは、インターネットなどのネットワークを通じて送信されてリモートユーザのコンピュータ上に再生され、ユーザがテンプレートのメディアファイルをビューして、適切なカスタム情報を入力することができるようにする。図示されたユーザ用の種々のディスプレイは、本発明の実施形態によるウェブサーバに一体化され該ウェブサーバによって制御される。本システムは、ウェブページ１７０８などのユーザインターフェースを通じてテンプレートメディアシーケンスを再生する。ユーザインターフェースは、テンプレートメディアシーケンスを再生するメディアプレーヤーを含むことができる。本システムは、ユーザにカスタム情報を提供するよう指示する。本システムは、ユーザにそれぞれのカスタムコンテンツ／情報を提供するよう指示するソフトウェアを含む１７１０。次に、ユーザによって提供されたカスタムイメージデータなどのこの情報は、ウェブサーバによってシステム上のデータベースにアップロードされる。
【００６６】
図１８に示されるように、ウェブサーバの実施形態は、ユーザがカスタマイゼーション及び／又は購入のために１つ又はそれ以上を選択できる種々のテンプレートのセット１８００をユーザのシステムに表示させるソフトウェアを含む。テンプレート１８００は、アイコン１８０１−１８０１によって表わされ、それぞれのテンプレートからのイメージを表示することができる。ユーザは、テンプレート１８０１のエリア１８１１をクリックするなどによって、再生用のテンプレートを選択することができる。メタデータは、テンプレートをそのそれぞれのアイコン、タイトル、記述、及び他の識別特徴と関連付けるのに使用される。本システムの実施形態は、こうしたメタデータを用いて、ユーザが特定の基準によってテンプレートをサーチし表示できるようにする。
【００６７】
図１９に示されるように、本システムは、ユーザのシステムにそれぞれのテンプレートメディアシーケンスに関する付加的な情報を表示させるソフトウェアを含む。このソフトウェアは、ユーザのシステムに、テンプレートからのイメージ１９０１及びテンプレートに関する情報１９０２を表示させることができる。このソフトウェアによって、ユーザは、テンプレートをカスタマイズ１９０３して、テンプレートをお気に入りに追加する又は電子メールもしくは他の送信によって送るなど、種々の動作をテンプレート上で行なう１９０４ことを選択することができる。
【００６８】
テンプレートメディアシーケンスは、カスタムマルチメディアシーケンスを作成するためにユーザによって提供された情報と結合される。１つの実施形態によれば、テンプレートは、オブジェクトからなるフォーマットに記憶され、該オブジェクトは、どのビデオ、オーディオ、及びイメージオブジェクトを結合し、再生されるマルチメディアシーケンスを形成するかを指定するＥＤＬを含む。テンプレートはまた、カスタマイズできるＥＤＬによって定められたシーケンスの態様を定めるメタデータを含む。このメタデータは、ユーザにカスタム情報を提供するよう指示するために、どのダイアログボックスをユーザに表示する必要があるかを定義するのに使用される。
【００６９】
図２０に示されるように、本システムは、テンプレートをカスタマイズするようユーザに指示するソフトウェアを含む。イメージ２００１はテンプレートが提供する。入力２００２によって、ユーザは、テンプレートと結合してカスタムメディアシーケンスを作成することができるカスタム情報を提供することが可能になる。例えば、本システムは、ユーザが、ボイスオーバー（２００３）、ロゴ（２００４）、他のイメージ（２００５）、テキスト（２００６）、コメント及び注記（２００７）、発音ガイド（２００８）、及び／又は他のカスタム情報／オブジェクトの種々の組合せを提供できるようにするソフトウェアを含む。ユーザに関するプロファイルデータ（２００９）が収集され、カスタムメディアシーケンスに関連付けられる。
【００７０】
本システムは、それぞれのカスタマイズされたシーケンスを購入するオプションをユーザに提供する（例えば、シーケンスが広告である場合、ユーザは、カスタム広告を購入するオプションが与えられる）。ソフトウェアは、１７１１に示されるように、ユーザが購入できるようにするユーザインターフェースを提供する。
【００７１】
図２１に示されるように、本システムの実施形態は、広告のキャンペーンなどのメディアシーケンスのセットについての情報を表示するためのソフトウェアを含む。該情報は、キャンペーンに関する総合情報２１０１、放送時間に関する情報２１０２、及びそれぞれのメディアシーケンスについての情報２１０３を含むことができ、カスタマイズ広告又は他の広告を含むことができる。例えば、シーケンスがカスタマイズされた広告である場合、本システムは、広告についての一般的な情報（２１０４）並びにカスタマイゼーションについての情報（２１０５）を示す。
【００７２】
図２２に示されるように、本システムの実施形態はまた、ユーザに関連したメディアシーケンス（広告など）を要約するソフトウェアを含む。例えば広告の場合、本システムは、ユーザによって選択及び／又は購入された広告のセット２２０１−２２０２を示す。各メディアシーケンス（例えば、広告）についての情報は、表又は他のフォーマットで表示される。図２４に示されるように、本システムは、それぞれの広告をユーザが承認できるようにするソフトウェアを含む。ユーザのカスタマイズされた広告が完成２４０１した後、ユーザは、電子メールの通知を受け取る２４０４。ユーザは、カスタマイズされた広告の完成２４０４、又は保留広告の要約を備えたページのユーザ訪問２４０４の後に、広告レビューページ２４０３を訪れることができる。ユーザは、広告を承認し２４０５、変更のある広告を承認２４０６又は問題をレポート２４０７することができる。広告を承認した後、ユーザは承認広告をビューすることができる２４０８。変更のある広告を承認した後、ユーザは、変更が終了していない旨の表示付きの承認広告ページをビューすることができ２４０９、ユーザは、変更が終了したときに通知される２４１１。ユーザが問題をレポートするときに２４０７、広告は保留状態のままであり２４１０、解決プロセスが実行され２４１２、これは、種々の実施に従ってオフライン又は自動とすることができる。
【００７３】
図２３に示されるように、本システムの実施形態はまた、メディアシーケンスのセットのグルーピングを要約するソフトウェアを含む。例えば広告の場合には、グループはキャンペーンとすることができる。要約情報２３０１は、進行中のキャンペーンを示し、要約情報２３０２は、現在のキャンペーンを示し、要約情報２３０３は履歴を示す。
【００７４】
カスタムメディアシーケンスは、テンプレートデータベース１７１２からのテンプレートを使用する調整トラッキングソフトウェア１７１３及びビデオ／オーディオエディタ１７１５など、ソフトウェア構成要素においてユーザによって提供されたカスタム情報に基づいて形成することができる。カスタマイズされたメディアシーケンス（カスタム広告など）は、電子送信（電子メールなど）１７１７によってユーザ（広告主など）に提供される。メディアシーケンスは、表示及び最終承認（インターフェース１７１９を介して表示）のための最終形式１７１７で提供することができる。次に、メディアシーケンスは、ケーブルテレビジョンネットワークのビューワへの放送などによって、他のシステム１７２１上での表示及び／又は再生のための送信ネットワークに送信される。
【００７５】
本発明の１つの実施形態によれば、テンプレートは、それぞれのカスタムユーザデータとは別個に記憶される。統合マルチメディアシーケンスが再生されることになる時には、テンプレート及びカスタムユーザデータは、送信ネットワークに提供され、ビューワへの送信ネットワーク及び放送において統合マルチメディアシーケンスに構築される。
【００７６】
図５を再度参照すると、ユーザは、広告を選択し購入することができる。本システムは、ユーザが広告を選択できるようにするソフトウェアを提供する５２０。広告を購入するために、本システムは、ユーザに指示し、パーソナル情報を取得し５２４、次いで、ユーザに確認５２５及び購入受け取り５２６を提供する。本システムは、ユーザにユーザの予算の入力を促し５２７、ユーザは、それぞれのメディアプランをレビュー及び／又は購入することができる５２８。本システムは、新しい広告の作成及び／又は広告のサーチ５２１するオプションをユーザに提供する。本システムは、広告に関する詳細な情報を提供し５２２、ユーザ入力に基づいて広告をカスタマイズする５２３。次いで、結果として得られる広告は、ユーザに関連付けられ、対応するページに表示される５２９。上記のシーケンスは、必ずしも広告ではないメディアシーケンスに一般的に応用することができ、ユーザは、それぞれのシーケンスを購入、カスタマイズ及び／又は記憶することができる。
【００７７】
本発明の１つの実施形態によれば、本システムは、使用に基づくメディアシーケンスにおいて使用されるコンテンツに対する権利使用料を自動的に計算するソフトウェアを含む。コンテンツの合計は、シーケンスにおける全てのコンテンツに対して受け取られる収入の関連パーセンテージを有する。コンテンツの特定部分に対して支払われる権利使用料は、コンテンツの特定部分が流されるシーケンスにおける時間のパーセンテージに基づいて計算され、これによってコンテンツの特定部分に対して受け取られる権利使用料の額は、プレータイムに基づく全コンテンツに対して受け取られる権利使用料の配分された部分である。例えば、広告の場合、全コンテンツに対する権利使用料は収益のＸ％とすることができる。コンテンツの特定部分に対して、その権利使用料は、その部分が流される時間のパーセンテージのＸ％倍に基づくことができる。権利使用料は、他の要因及び／又はコンテンツの種々の部分間で適切に配分された権利使用料に対する比率を乗算することができる。例えば、同時に流されるコンテンツの種々のビデオ、オーディオ、及びイメージ部分がある場合、権利使用料は、流される時間及び他の要因に基づいて配分することができる。関連の要因は、資産／権利使用料データベースＩなどの適切なデータベース内に記憶することができる。
【００７８】
独占権の種々のレベルは、システムでのコンテンツの種々のユーザに付与することができる。独占権は、地理的及び／又は時間的なものとすることができる。例えば、１つの実施形態では、ユーザが特定のテンプレートに基づいて広告を購入した場合、ユーザは、テンプレートに対してある形式の独占権を付与することができる。１つの実施例では、ユーザがテンプレートを購入した場合、ユーザは、それぞれのテンプレートに対して、特定の時間（例えば、１カ月、３カ月、６カ月、１年）における地理的な市場（例えば、都市又は首都エリア、又は州）における独占権が自動的に付与される。
【００７９】
本明細書で説明されるシステム及び方法の態様は、書替え可能ゲートアレイ（ＦＰＧＡ）、プログラム可能アレイ論理（ＰＡＬ）デバイス、電子的プログラム可能論理及びメモリデバイス、及び標準セルベースデバイスなどのプログラム可能論理デバイス（ＰＬＤ）、並びに特定用途向け集積回路（ＡＳＩＣ）を含む多種多様な回路のいずれかに機能的にプログラムされるように実装することができる。本システム及び方法の態様を実装するための幾つかの他の可能性は、メモリを備えたマイクロコントローラ、組み込みマイクロプロセッサ、ファームウェア、ソフトウェア、その他を含む。更に、本システム及び方法の態様は、ソフトウェアベース回路エミュレーション、ディスクリート論理回路（シーケンシャル及び組み合わせ）、カスタムデバイス、ファジー（ニューラル）論理回路、量子デバイス、及び上記のデバイスタイプのいずれかの混成を有するマイクロプロセッサにおいて具現化することができる。勿論、ベースとなるデバイス技術を、多種多様な構成要素のタイプ、例えば、相補形金属酸化膜半導体（ＣＭＯＳ）のような金属酸化膜半導体電界効果トランジスタ（ＭＯＳＦＥＴ）技術、エミッタ結合論理回路（ＥＣＬ）のようなバイポーラ技術、高分子技術（例えば、シリコン共役高分子及び金属共役高分子−金属構造）、アナログとデジタルのミックス、その他に提供することができる。
【００８０】
本明細書で開示される種々の機能又はプロセスは、その動作、レジスタ転送、論理構成要素、トランジスタ、レイアウト幾何形状、及び／又は他の特徴の観点から、種々のコンピュータ可読媒体において具現化されたデータ及び／又は命令として説明することができる点に留意されたい。このようなフォーマット化されたデータ及び／又は命令を具現化することができるコンピュータ可読媒体は、限定ではないが、種々の形式での不揮発性記憶媒体（例えば、光学、磁気、又は半導体記憶媒体）と、このようなフォーマット化されたデータ及び／又は命令を無線、光学、又は有線信号伝達媒体、又はこれらのいずれかの組合せを介して転送するのに使用できる搬送波とを含む。搬送波によるこのようなフォーマット化データ及び／又は命令の転送の実施例は、限定ではないが、１つ又はそれ以上のデータ転送プロトコル（例えば、ＨＴＴＰ、ＦＴＰ、ＳＭＴＰなど）を介してインターネット及び／又は他のコンピュータネットワークを通じた転送（アップロード、ダウンロード、電子メールなど）を含む。１つ又はそれ以上のコンピュータ可読媒体を介してコンピュータシステム内で受け取られると、本システム及び方法の下での構成要素及び／又はプロセスのこのようなデータ及び／又は命令ベースの表現は、１つ又はそれ以上の他のコンピュータプログラムの実行と共にコンピュータシステム内で処理エンティティ（例えば、１つ又はそれ以上のプロセッサ）により処理することができる。
【００８１】
文脈上他の意味に解すべき場合を除き、明細書及び請求項全体を通して「ｃｏｍｐｒｉｓｅ」、「ｃｏｍｐｒｉｓｉｎｇ」、及び同様の用語は、排他的又は網羅的な意味ではなく、包括的意味、すなわち「含むが、限定されない」という意味に解釈すべきである。単数又は複数を使用する用語は、複数又は単数も同様にそれぞれ含む。更に、用語「ここで」、「この下で」、「上記で」、「以下に」、及び同様の意味の用語は、本出願全体を指し、本出願のいずれかの特定の部分を指すものではない。用語「又は」が、２つ又はそれ以上の項目のリストに関して使用される場合、この用語は、リストの項目のいずれか、リストの項目の全て、及びリストの項目のいずれかの組合せといった用語の解釈の全てを網羅する。
【００８２】
本システム及び方法の例証となる実施形態の上記の説明は、網羅的なものではなく、或いは開示される厳密な形式に本システム及び方法を限定するものではない。本システム及び方法の特定の実施形態及び実施例は、例証の目的のために本明細書で説明されており、当業者であれば理解されるように、種々の均等な修正が本システム及び方法の範囲内で実施可能である。本明細書で提供されるシステム及び方法の教示は、上記に示されたシステム及び方法だけでなく他の処理システム及び方法に応用することができる。
【００８３】
上記に説明された種々の実施形態の要素及び動作は、別の実施形態を提供するために組み合わせることができる。これらの及び他の変更は、上記の詳細な説明の観点から本システム及び方法に対して行なうことができる。
【００８４】
一般に、添付の請求項では、使用される用語は、本明細書及び請求項で開示される特定の実施形態に本システム及び方法を限定するものと解釈すべきではなく、請求項によって動作する全ての処理システムを含むものと解釈すべきである。従って、本システム及び方法はこの開示事項により限定されず、本システム及び方法の範囲は、請求項によって完全に決定付けられるものとする。
【００８５】
本システム及び方法の幾つかの態様が幾つかの請求様式で以下に示されているが、発明者らは、請求様式のどれにおいても本システム及び方法の種々の態様を企図するものである。従って発明者らは、本システム及び方法の他の態様に対する追加の請求様式を求めて、本出願後に付加的な請求項を追加する権利を留保する。
【図面の簡単な説明】
【００８６】
【図１】本発明の実施形態によるシステムを示す論理ブロック図である。
【図２】本発明の実施形態による、全体的に２００で示されるウェブサーバシステムのアーキテクチャを示すブロック図である。
【図３Ａ】本発明の実施形態と共に使用できる例示的なデータベーススキーマである。
【図３Ｂ】本発明の実施形態と共に使用できる例示的なデータベーススキーマである。
【図３Ｃ】本発明の実施形態と共に使用できる例示的なデータベーススキーマである。
【図４】４０６においてメディアプランを選択して購入する例示的なフローチャート、４０８に本方法で使用されるデータベース、及び４１０で本方法の各ステップに対する入力／出力に関する情報を示す図である。
【図５Ａ】メディアプランを選択し購入するための方法のより詳細なフローチャートを示す図である。
【図５Ｂ】メディアプランを選択し購入するための方法のより詳細なフローチャートを示す図である。
【図６】図４及び５に示すメディアプランを選択し購入する方法に関連したクライアントコンピュータＲ上に表示することができるウェブページの例示的なスクリーンショットを示す図である。
【図７】図４及び５に示すメディアプランを選択し購入する方法に関連したクライアントコンピュータＲ上に表示することができるウェブページの例示的なスクリーンショットを示す図である。
【図８】図４及び５に示すメディアプランを選択し購入する方法に関連したクライアントコンピュータＲ上に表示することができるウェブページの例示的なスクリーンショットを示す図である。
【図９】図４及び５に示すメディアプランを選択し購入する方法に関連したクライアントコンピュータＲ上に表示することができるウェブページの例示的なスクリーンショットを示す図である。
【図１０】図４及び５に示すメディアプランを選択し購入する方法に関連したクライアントコンピュータＲ上に表示することができるウェブページの例示的なスクリーンショットを示す図である。
【図１１】図４及び５に示すメディアプランを選択し購入する方法に関連したクライアントコンピュータＲ上に表示することができるウェブページの例示的なスクリーンショットを示す図である。
【図１２】図４及び５に示すメディアプランを選択し購入する方法に関連したクライアントコンピュータＲ上に表示することができるウェブページの例示的なスクリーンショットを示す図である。
【図１３】図４及び５に示すメディアプランを選択し購入する方法に関連したクライアントコンピュータＲ上に表示することができるウェブページの例示的なスクリーンショットを示す図である。
【図１４】図４及び５に示すメディアプランを選択し購入する方法に関連したクライアントコンピュータＲ上に表示することができるウェブページの例示的なスクリーンショットを示す図である。
【図１５Ａ】推奨メディアプランを生成するための例示的な方法に関する付加的な情報を示す図である。
【図１５Ｂ】推奨メディアプランを生成するための例示的な方法に関する付加的な情報を示す図である。
【図１５Ｃ】推奨メディアプランを生成するための例示的な方法に関する付加的な情報を示す図である。
【図１６】メディア配置データベースＥ内に記憶され上記の方法で関連して使用することができる例示的な料金表を示す図である。
【図１７Ａ】マルチメディアシーケンスを送信ネットワークにわたる再生用にカスタマイズされたマルチメディアシーケンスに構築するシステムを示す図である。
【図１７Ｂ】メディアシーケンス（広告など）をカスタマイズするのを助けるメタデータの使用を示す図である。
【図１８】ウェブサーバの実施形態であって、ユーザがカスタマイゼーション及び／又は購入のために１つ又はそれ以上を選択できる種々のテンプレートのセット１８００をユーザのシステムに表示させるソフトウェアを含む図である。
【図１９】本システムが、ユーザのシステムにそれぞれのテンプレートメディアシーケンスに関する付加的な情報を表示させるソフトウェアを含むことを示す図である。
【図２０】本システムが、テンプレートをカスタマイズすることを示す図である。
【図２１】本システムの実施形態であって、広告のキャンペーンなどのメディアシーケンスのセットについての情報を表示するためのソフトウェアを含むことを示す図である。
【図２２】本システムの実施形態であって、ユーザに関連したメディアシーケンス（広告など）を要約するソフトウェアを含むことを示す図である。
【図２３】本システムの実施形態であって、メディアシーケンスのセットのグルーピングを要約するソフトウェアを含むことを示す図である。
【図２４】本システムが、それぞれの広告をユーザが承認できるようにするソフトウェアを含むことを示す図である。
【図１】
2009521014.tif 000002
【図２】
2009521014.tif 000003
【図３Ａ】
2009521014.tif 000004
【図３Ｂ】
2009521014.tif 000005
【図３Ｃ】
2009521014.tif 000006
【図４】
2009521014.tif 000007
【図５Ａ】
2009521014.tif 000008
【図５Ｂ】
2009521014.tif 000009
【図６】
2009521014.tif 000010
【図７】
2009521014.tif 000011
【図８】
2009521014.tif 000012
【図９】
2009521014.tif 000013
【図１０】
2009521014.tif 000014
【図１１】
2009521014.tif 000015
【図１２】
2009521014.tif 000016
【図１３】
2009521014.tif 000017
【図１４】
2009521014.tif 000018
【図１５Ａ】
2009521014.tif 000019
【図１５Ｂ】
2009521014.tif 000020
【図１５Ｃ】
2009521014.tif 000021
【図１６】
2009521014.tif 000022
【図１７Ａ】
2009521014.tif 000023
【図１７Ｂ】
2009521014.tif 000024
【図１８】
2009521014.tif 000025
【図１９】
2009521014.tif 000026
【図２０】
2009521014.tif 000027
【図２１】
2009521014.tif 000028
【図２２】
2009521014.tif 000029
【図２３】
2009521014.tif 000030
【図２４】
2009521014.tif 000031
【国際調査報告】
2009521014.tif 000032